(57)【特許請求の範囲】
【請求項１】
番組の視聴を支援する視聴支援装置であって、
現在位置における番組表である閲覧可能番組表と、録画装置が設置されている場所における番組表である録画可能番組表とに基づいて、それぞれの番組の同一性を判定する同一番組判定手段と、
前記同一番組判定手段により判定された番組の同一性を表示する表示手段と
を備えることを特徴とする視聴支援装置。
【請求項２】
前記同一番組判定手段は、
前記閲覧可能番組表に含まれる所定の番組の開始時刻、終了時刻、および放映時間の少なくとも１つを抽出する時間抽出部と、
前記時間抽出部により抽出された前記所定の番組の開始時刻、終了時刻、および放映時間の少なくとも１つに基づいて前記録画可能番組表を検索し、検索された番組のテキスト情報を前記録画可能番組表から抽出する検索部と、
前記閲覧可能番組表に含まれる前記所定の番組のテキスト情報を前記閲覧可能番組表から抽出するテキスト抽出部と、
前記テキスト抽出部により抽出された前記所定の番組のテキスト情報と前記検索部により抽出された前記番組のテキスト情報を比較して一致度を計算する一致度計算部と、
前記一致度計算部により計算された前記一致度に基づいて、前記所定の番組と同一性を有する番組が存在するか否かを判定する判定部とを備える
ことを特徴とする請求項１記載の視聴支援装置。
【請求項３】
前記検索部は、前記所定の番組の開始時刻および終了時刻に基づいて前記録画可能番組表を検索して前記所定の番組と同じ開始時刻および終了時刻の番組を抽出する
ことを特徴とする請求項２記載の視聴支援装置。
【請求項４】
前記検索部は、前記所定の番組の放映時間に基づいて前記録画可能番組表を検索して前記放映時間と同じ放映時間の番組を抽出する
ことを特徴とする請求項２記載の視聴支援装置。
【請求項５】
前記視聴支援装置は、さらに、
前記録画装置が設置されている場所を取得する録画装置位置取得手段と、
前記録画装置位置取得手段により取得された前記場所における前記録画可能番組表を取得する録画可能番組表取得手段と、
前記閲覧可能番組表を取得する閲覧可能番組表取得手段とを備える
ことを特徴とする請求項１記載の視聴支援装置。
【請求項６】
前記視聴支援装置は、さらに、
前記録画可能番組表を記憶する録画可能番組表記憶手段と、
前記閲覧可能番組表を記憶する閲覧可能番組表記憶手段と、
前記閲覧可能番組表を取得し、取得した前記閲覧可能番組表が前記録画装置の設置されている場所の番組表であるか否かを判定し、前記録画装置の設置されている場所の番組表である場合には、取得した前記閲覧可能番組表を前記録画可能番組表記憶手段へ、一方、前記録画装置の設置されている場所の番組表でない場合には、前記閲覧可能番組表を前記閲覧可能番組表記憶手段へ、記憶する録画可能番組表更新手段とを備え、
前記同一番組判定手段は、前記録画可能番組表記憶手段に記憶された前記録画可能番組表と、前記閲覧可能番組表記憶手段に記憶された前記閲覧可能番組表とに基づいて、それぞれの番組の同一性を判定する
ことを特徴とする請求項１記載の視聴支援装置。
【請求項７】
前記視聴支援装置は、さらに、
前記録画装置の設置されている場所の番組表でない前記閲覧可能番組表が取得された場合に、前記閲覧可能番組表に日時が対応する前記録画可能番組表が前記録画可能番組表記憶手段に記憶されているか否かを判定する対応番組表判定手段と、
前記対応番組表判定手段により前記閲覧可能番組表に対応する前記録画可能番組表が前記録画可能番組表記憶手段に記憶されていないと判定された場合に、前記閲覧可能番組表に対応する前記録画可能番組表を取得する対応番組表取得手段とを備える
ことを特徴とする請求項６記載の視聴支援装置。
【請求項８】
前記視聴支援装置は、さらに、
前記閲覧可能番組表および前記録画可能番組表それぞれの提供元を検出する提供元検出手段と、
前記提供元検出手段により検出された前記閲覧可能番組表の提供元および前記録画可能番組表の提供元が相違する場合に、提供元が同一の閲覧可能番組表および録画可能番組表を取得する提供元同一番組表取得手段とを備え、
前記同一番組判定手段は、前記提供元同一番組表取得手段により取得された前記閲覧可能番組表および前記録画可能番組表に基づいて、それぞれの番組の同一性を判定する
ことを特徴とする請求項１記載の視聴支援装置。
【請求項９】
前記視聴支援装置は、さらに、
番組を受信し、表示する受信表示手段を備え、
前記表示手段は、前記同一番組判定手段により判定された番組の同一性に基づいて、前記受信表示手段を用いて現在視聴されている番組と同一性を有する番組が前記録画可能番組表に含まれると判定された場合に現在視聴されている番組が前記録画装置において録画可能であるとし、現在視聴されている番組が前記録画装置において録画可能であるか否かを表示する
ことを特徴とする請求項１記載の視聴支援装置。
【請求項１０】
前記表示手段は、現在視聴されている番組が前記録画装置において録画可能である場合、前記録画可能番組表に基づいて、前記録画装置において録画可能である前記番組の視聴可能言語をさらに表示する
ことを特徴とする請求項９記載の視聴支援装置。
【請求項１１】
前記表示手段は、前記同一番組判定手段により判定された番組の同一性に基づいて、前記閲覧可能番組表に含まれる番組と同一性を有する番組が前記録画可能番組表に含まれると判定された場合に当該番組が前記録画装置において録画可能であるとし、前記閲覧可能番組表に、それぞれの番組が前記録画装置において録画可能であるか否かの情報を付加して表示する
ことを特徴とする請求項１記載の視聴支援装置。
【請求項１２】
前記視聴支援装置は、さらに、
番組表の選択指示を受け付ける選択受付手段を備え、
前記表示手段は、前記選択指示に基づいて、前記録画可能番組表、前記閲覧可能番組表、録画可能であるか否かの前記情報を付加した前記閲覧可能番組表のいずれか１つを表示する
ことを特徴とする請求項１１記載の視聴支援装置。
【請求項１３】
前記視聴支援装置は、さらに、
嗜好情報が蓄積されている嗜好情報蓄積手段と、
前記閲覧可能番組表に含まれる番組から前記嗜好情報に合致する番組を選択し、選択した前記番組を推薦する番組推薦手段と
を備えることを特徴とする請求項１記載の視聴支援装置。
【請求項１４】
前記番組推薦手段は、さらに、前記閲覧可能番組表に含まれる番組の中から前記録画可能番組表に含まれない番組を優先的に選択する
ことを特徴とする請求項１３記載の視聴支援装置。
【請求項１５】
前記視聴支援装置は、さらに、
番組を受信し、表示する受信表示手段と、
前記受信表示手段を用いて視聴された番組の視聴履歴を蓄積する視聴履歴蓄積手段とを備え、
前記嗜好情報は、前記視聴履歴蓄積手段により蓄積された視聴履歴から抽出される
ことを特徴とする請求項１３記載の視聴支援装置。
【請求項１６】
前記視聴支援装置は、さらに
番組を受信する番組受信手段と、
前記番組受信手段で受信された番組を録画する番組録画手段と、
前記同一番組判定手段により前記番組録画手段で録画されている番組と同一の番組が前記録画可能番組表にあると判定された場合に、前記番組録画手段で録画されている番組の録画を前記録画装置へ指示する録画指示手段とを備える
ことを特徴とする請求項１記載の視聴支援装置。
【請求項１７】
第１の録画装置および第２の録画装置を備える番組録画システムであって、
前記第１の録画装置は、
番組を受信する第１の番組受信手段と、
現在位置における番組表である閲覧可能番組表と、前記第２の録画装置が設置されている場所における番組表である録画可能番組表とに基づいて、それぞれの番組の同一性を判定する同一番組判定手段と、
前記同一番組判定手段により判定された番組の同一性を表示する表示手段と、
前記第１の番組受信手段で受信された番組を録画する第１の番組録画手段と、
前記同一番組判定手段により前記第１の番組録画手段で録画されている番組と同一の番組が前記録画可能番組表にあると判定された場合に、前記第１の番組録画手段で録画されている番組の録画を前記第２の録画装置へ指示する録画指示手段とを備え、
前記第２の録画装置は、
前記録画指示手段により録画指示された番組を受信する第２の番組受信手段と、
前記第２の番組受信手段で受信された番組を録画する第２の番組録画手段とを備える
ことを特徴とする番組録画システム。
【請求項１８】
前記第２の録画装置は、さらに、
前記第２の番組録画手段が録画指示された前記番組の録画を開始したことを前記第１の録画装置へ通知する録画情報送信手段を備え、
前記第１の番組録画手段は、前記録画情報送信手段から録画開始が通知されると、前記番組の録画を中止する
ことを特徴とする請求項１７記載の番組録画システム。
【請求項１９】
前記第２の番組録画手段は、録画指示された前記番組を特定するための録画ＩＤを生成し、録画指示された前記番組を前記録画ＩＤに対応付けて録画し、
前記録画情報送信手段は、前記録画ＩＤを前記第１の録画装置へ通知し、
前記第１の番組録画手段は、通知された前記録画ＩＤを前記番組に対応付けて記憶する
ことを特徴とする請求項１８記載の番組録画システム。
【請求項２０】
前記第２の録画装置は、さらに、
前記第１の録画装置で録画された前記番組を取得する録画番組取得手段と、
取得された前記番組と、前記第２の番組録画手段で録画された前記番組とを前記録画ＩＤに基づいて結合する番組結合手段とを備える
ことを特徴とする請求項１９記載の番組録画システム。
【請求項２１】
前記第２の録画装置は、さらに、
前記第２の番組録画手段が録画指示された前記番組の録画を開始したことを前記第１の録画装置へ通知する録画情報送信手段と、
前記第１の録画装置で録画された前記番組を取得する録画番組取得手段と、
前記録画番組取得手段により取得された前記番組と、前記第２の番組録画手段で録画された前記番組とにおいて共通する時間部分のコンテンツデータをそれぞれ抽出するサンプリング動画抽出手段と、
前記サンプリング動画抽出手段により抽出されたそれぞれの前記コンテンツデータの音量パワーを計測する音量パワー計測手段と、
前記音量パワー計測手段により計測されたそれぞれの前記音量パワーが同じになるように、前記音量パワーの補正量を計算する補正量計算手段と、
前記補正量計算手段により計算された前記補正量に基づいて前記音量パワーを補正して、前記録画番組取得手段により取得された前記番組と、前記第２の番組録画手段で録画された前記番組とを結合する番組結合手段とを備え、
前記第１の番組録画手段は、前記録画情報送信手段から録画開始が通知されると、所定時間録画を継続した後に前記番組の録画を中止する
ことを特徴とする請求項１７記載の番組録画システム。
【請求項２２】
前記第２の録画装置は、さらに、
前記録画番組取得手段により取得された前記番組、および前記第２の番組録画手段で録画された前記番組それぞれから前記番組に含まれる前記番組に関するタグ情報を取得するタグ情報取得手段と、
前記タグ情報取得手段により取得された前記タグ情報に基づいて、前記番組のシーン切り替わり部分を検出する切替部分検出手段とを備え、
前記番組結合手段は、前記切替部分検出手段により検出された前記番組のシーン切り替り部分で、前記録画番組取得手段により取得された前記番組と、前記第２の番組録画手段で録画された前記番組とを結合する
ことを特徴とする請求項２０記載の番組録画システム。
【請求項２３】
前記第２の録画装置は、さらに、
前記録画番組取得手段により取得された前記番組から結合キーを抽出し、抽出した前記結合キーが前記第２の番組録画手段で録画された前記番組に存在するか否か判定する結合キー判定手段を備え、
前記番組結合手段は、前記結合キー判定手段により前記結合キーが前記第２の番組録画手段で録画された前記番組に存在すると判定された場合に、前記録画番組取得手段により取得された前記番組と、前記第２の番組録画手段で録画された前記番組とを結合する
ことを特徴とする請求項２０記載の番組録画システム。
【請求項２４】
前記第２の録画装置は、さらに、
前記録画番組取得手段により取得された前記番組と前記第２の番組録画手段で録画された前記番組とが前記番組結合手段により結合された場合に、前記録画番組取得手段により取得された前記番組を当該番組の取得先から消去する録画番組消去手段を備える
ことを特徴とする請求項２３記載の番組録画システム。
【請求項２５】
前記第２の録画装置は、さらに、
前記録画指示手段から録画指示を受けたときに、録画が可能か否かを判断する録画可否判断手段を備え、
前記録画情報送信手段は、前記録画可否判断手段で録画できないと判断されたときに、録画できない旨を前記第１の録画装置へ通知する
ことを特徴とする請求項１８記載の番組録画システム。
【請求項２６】
前記録画可否判断手段は、さらに、録画指示手段から録画指示を受けたときに、録画指示された前記番組を前記第２の番組録画手段が録画中であるか否かを判断し、
前記録画情報送信手段は、前記録画可否判断手段で前記番組を録画中であると判断されたときに、前記番組を録画中である旨を前記第１の録画装置へ通知する
ことを特徴とする請求項２５記載の番組録画システム。
【請求項２７】
番組の視聴を支援する視聴支援方法であって、
現在位置における番組表である閲覧可能番組表と、録画装置が設置されている場所における番組表である録画可能番組表とに基づいて、それぞれの番組の同一性を判定する同一番組判定ステップと、
前記同一番組判定ステップにより判定された番組の同一性を表示する表示ステップと
を含むことを特徴とする視聴支援方法。
【請求項２８】
第１の録画装置および第２の録画装置を備えるシステムで番組を録画する番組録画方法であって、
前記第１の録画装置において、
番組を受信する第１の番組受信ステップと、
現在位置における番組表である閲覧可能番組表と、前記第２の録画装置が設置されている場所における番組表である録画可能番組表とに基づいて、それぞれの番組の同一性を判定する同一番組判定ステップと、
前記同一番組判定ステップにより判定された番組の同一性を表示する表示ステップと、
前記第１の番組受信ステップにより受信された番組を録画する第１の番組録画ステップと、
前記同一番組判定ステップにより前記第１の番組録画ステップにおいて録画されている番組と同一の番組が前記録画可能番組表にあると判定された場合に、前記第１の番組録画ステップにより録画されている番組の録画を前記第２の録画装置へ指示する録画指示ステップとを含み、
前記第２の録画装置は、
前記録画指示ステップにより録画指示された番組を受信する第２の番組受信ステップと、
前記第２の番組受信ステップにより受信された番組を録画する第２の番組録画ステップとを含む
ことを特徴とする番組録画方法。
【請求項２９】
番組の視聴を支援するためのプログラムであって、
現在位置における番組表である閲覧可能番組表と、録画装置が設置されている場所における番組表である録画可能番組表とに基づいて、それぞれの番組の同一性を判定する同一番組判定ステップと、
前記同一番組判定ステップにより判定された番組の同一性を表示する表示ステップとをコンピュータに実行させる
ことを特徴とするプログラム。
【請求項３０】
第１の録画装置および第２の録画装置を備えるシステムで番組を録画するためのプログラムであって、
前記第１の録画装置において、
番組を受信する第１の番組受信ステップと、
現在位置における番組表である閲覧可能番組表と、前記第２の録画装置が設置されている場所における番組表である録画可能番組表とに基づいて、それぞれの番組の同一性を判定する同一番組判定ステップと、
前記同一番組判定ステップにより判定された番組の同一性を表示する表示ステップと、
前記第１の番組受信ステップにより受信された番組を録画する第１の番組録画ステップと、
前記同一番組判定ステップにより前記第１の番組録画ステップにおいて録画されている番組と同一の番組が前記録画可能番組表にあると判定された場合に、前記第１の番組録画ステップにより録画されている番組の録画を前記第２の録画装置へ指示する録画指示ステップとを含み、
前記第２の録画装置は、
前記録画指示ステップにより録画指示された番組を受信する第２の番組受信ステップと、
前記第２の番組受信ステップにより受信された番組を録画する第２の番組録画ステップとをコンピュータに実行させる
ことを特徴とするプログラム。
【請求項３１】
第１の録画装置および第２の録画装置を備える番組録画システムであって、
前記第１の録画装置は、
番組を受信する第１の番組受信手段と、
現在位置における番組表である閲覧可能番組表と、前記第２の録画装置が設置されている場所における番組表である録画可能番組表とに基づいて、それぞれの番組の同一性を判定する同一番組判定手段と、
前記第１の番組受信手段で受信された番組を録画する第１の番組録画手段と、
前記同一番組判定手段により前記番組録画手段で録画されている番組と同一の番組が前記録画可能番組表にあると判定された場合に、前記第１の番組録画手段で録画されている番組の録画を前記第２の録画装置へ指示する録画指示手段とを備え、
前記第２の録画装置は、
前記録画指示手段により録画指示された番組を受信する第２の番組受信手段と、
前記第２の番組受信手段で受信された番組を録画する第２の番組録画手段とを備える
ことを特徴とする番組録画システム。
【発明の詳細な説明】
【技術分野】
【０００１】
本発明は、テレビ放送等の番組の視聴や録画を支援する視聴支援装置および番組録画システムに関するものである。
【背景技術】
【０００２】
近年、デジタル放送の普及に伴い、多種多様な番組が放送されるようになってきている。また、電子番組ガイド（以下、ＥＰＧと省略する）の普及により、テレビ画面上で将来放送される番組の予定を確認することができるようになってきている。さらに、ハードディスクやＤＶＤの普及に伴い、簡単に番組を録画することが可能になりつつある。
【０００３】
そこで、携帯電話を用いて、家庭内の電子機器を遠隔制御する技術が開示されている（例えば、特許文献１参照。）。特に、携帯電話を利用して、家庭内の放送を受信できる機器を遠隔で制御することにより、外出先からでも録画予約設定ができるようになっている。
【０００４】
また、ハードディスク等への予約録画の内容や、番組の視聴履歴をもとに、ユーザのテレビ番組に関する嗜好を抽出し、将来、放送される番組において、そのユーザの嗜好にあった番組を推薦するシステムが提案されている（例えば、特許文献２参照。）。
【特許文献１】特開平９−１０２８２７号公報
【特許文献２】特開平１１−１６４２１７号公報
【発明の開示】
【発明が解決しようとする課題】
【０００５】
しかしながら、現在放送されている番組や番組表で確認した番組を、遠隔で録画しようとしても、録画装置を設置している場所（自宅の場合が多い）で、放送されていない場合がある。そのため、ユーザが携帯電話で視聴しているコンテンツを家庭内録画装置で録画しようとしても、録画できない場合がある。
【０００６】
また、ユーザの居住地域と異なる場所に行った場合に、ユーザはその地域での番組表を視聴できるが、その番組表を用いて家庭内録画装置で録画しようとしても、居住地域では放送されていない場合がある。
【０００７】
また、ユーザが居住地域と異なる場所に行った場合には、ユーザが普段視聴している放送コンテンツとは異なる、その地方ならではの放送を視聴することで、その地域での娯楽を楽しむことができる。しかしながら、従来までの統計情報を利用した番組推薦システムにおいては、地方でしか視聴できない番組があるにも関わらず、普段の嗜好情報を利用して普段と同様の番組が推薦されてしまう。
【０００８】
また、現在放送されている番組を家庭内録画装置で録画しようとしても、携帯電話から家庭内録画装置に接続し録画設定を行うためには、時間がかかり、現在放送されている番組の場合には録画できない場合がある。さらに、家庭内録画装置が使用されていたり、すでに予約録画が設定されていたりすると、家庭内録画装置では録画できない場合もある。
【０００９】
そこで、本発明は上記の事情に鑑みてなされたものであり、ユーザが居住地域と異なる場所に行った場合であっても、現在放送されている番組や放送予定の番組を居住地域に設けられた家庭内録画装置で容易に録画することが可能なように支援することができる視聴支援装置および番組録画システムを提供することを目的とする。
【課題を解決するための手段】
【００１０】
上記目的を達成するため、本発明に係る視聴支援装置は、番組の視聴を支援する視聴支援装置であって、現在位置における番組表である閲覧可能番組表と、録画装置が設置されている場所における番組表である録画可能番組表とに基づいて、それぞれの番組の同一性を判定する同一番組判定手段と、前記同一番組判定手段により判定された番組の同一性を表示する表示手段とを備えることを特徴とする。
【発明の効果】
【００１１】
以上の説明から明らかなように、本発明に係る視聴支援装置によれば、例えばユーザが居住地域と異なる場所に行った場合であっても、現在放送されている番組や放送予定の番組を居住地域に設けられた録画装置で容易に録画することが可能なように支援することができる。よって、例えば携帯電話等の移動体端末で放送番組の視聴が可能になり、また移動体端末からネットワークを介してハードディスクレコーダやＤＶＤレコーダ等の装置へ遠隔録画ができるようになっている今日における実用的価値は極めて高い。
【発明を実施するための最良の形態】
【００１２】
本発明の実施の形態に係る視聴支援装置は、番組の視聴を支援する視聴支援装置であって、現在位置における番組表である閲覧可能番組表と、録画装置が設置されている場所における番組表である録画可能番組表とに基づいて、それぞれの番組の同一性を判定する同一番組判定手段と、前記同一番組判定手段により判定された番組の同一性を表示する表示手段とを備えることを特徴とする。これによって、例えばユーザが居住地域と異なる場所に行った場合であっても、現在放送されている番組や放送予定の番組を居住地域に設けられた録画装置で容易に録画することが可能なように支援することができる。
【００１３】
ここで、前記同一番組判定手段は、前記閲覧可能番組表に含まれる所定の番組の開始時刻、終了時刻、および放映時間の少なくとも１つを抽出する時間抽出部と、前記時間抽出部により抽出された前記所定の番組の開始時刻、終了時刻、および放映時間の少なくとも１つに基づいて前記録画可能番組表を検索し、検索された番組を抽出する検索部と、前記検索部により抽出された前記録画可能番組表に含まれる番組、および前記所定の番組のテキスト情報を抽出するテキスト抽出部と、前記テキスト抽出部により抽出されたそれぞれのテキスト情報を比較して一致度を計算する一致度計算部と、前記一致度計算部により計算された前記一致度に基づいて、前記所定の番組と同一性を有する番組が存在するか否かを判定する判定部とを備えてもよい。これによって、番組の放映時間の情報と、番組のタイトル、副題、出演者等の番組表に記載されたテキスト情報を利用して同一番組か否かを判定することが可能になる。
【００１４】
また、前記検索部は、前記所定の番組の開始時刻および終了時刻に基づいて前記録画可能番組表を検索して前記放映時間と同じ開始時刻および終了時刻の番組を抽出してもよい。
【００１５】
また、前記検索部は、前記所定の番組の放映時間に基づいて前記録画可能番組表を検索して前記放映時間と同じ放映時間の番組を抽出してもよい。
【００１６】
また、前記視聴支援装置は、さらに、前記録画装置が設置されている場所を取得する録画装置位置取得手段と、前記録画装置位置取得手段により取得された前記場所における前記録画可能番組表を取得する録画可能番組表取得手段と、前記閲覧可能番組表を取得する閲覧可能番組表取得手段とを備えてもよい。
【００１７】
また、前記視聴支援装置は、さらに、前記録画可能番組表を記憶する録画可能番組表記憶手段と、前記閲覧可能番組表を記憶する閲覧可能番組表記憶手段と、前記閲覧可能番組表を取得し、取得した前記閲覧可能番組表が前記録画装置の設置されている場所の番組表であるか否かを判定し、前記録画装置の設置されている場所の番組表である場合には、取得した前記閲覧可能番組表を前記録画可能番組表記憶手段へ、一方、前記録画装置の設置されている場所の番組表でない場合には、前記閲覧可能番組表を前記閲覧可能番組表記憶手段へ、記憶する録画可能番組表更新手段とを備え、前記同一番組判定手段は、前記録画可能番組表記憶手段に記憶された前記録画可能番組表と、前記閲覧可能番組表記憶手段に記憶された前記閲覧可能番組表とに基づいて、それぞれの番組の同一性を判定してもよい。これによって、録画装置設置場所の番組表がすでに記憶されている場合には、新たに番組表を取得することなく、同一番組か否かを判定することが可能になる。
【００１８】
また、前記視聴支援装置は、さらに、前記録画装置の設置されている場所の番組表でない前記閲覧可能番組表が取得された場合に、前記閲覧可能番組表に対応する前記録画可能番組表が前記録画可能番組表記憶手段に記憶されているか否かを判定する対応番組表判定手段と、前記対応番組表判定手段により前記閲覧可能番組表に対応する前記録画可能番組表が前記録画可能番組表記憶手段に記憶されていないと判定された場合に、前記閲覧可能番組表に対応する前記録画可能番組表を取得する対応番組表取得手段とを備えてもよい。これによって、録画装置設置場所の番組表が記憶されていなくても、新たに、例えばネットワーク等を介して録画装置設置場所で放映されている番組表を取得することができ、同一番組か否かを判定することが可能になる。
【００１９】
また、前記視聴支援装置は、さらに、前記閲覧可能番組表および前記録画可能番組表それぞれの提供元を検出する提供元検出手段と、前記提供元検出手段により検出された前記閲覧可能番組表の提供元および前記録画可能番組表の提供元が相違する場合に、提供元が同一の閲覧可能番組表および録画可能番組表を取得する提供元同一番組表取得手段とを備え、前記同一番組判定手段は、前記提供元同一番組表取得手段により取得された前記閲覧可能番組表および前記録画可能番組表に基づいて、それぞれの番組の同一性を判定してもよい。これによって、閲覧可能番組表および録画可能番組表の提供元が異なる場合に、提供元が同じ番組表を取得して、同一番組の判定に用いているので、同一番組であるのに、配信業者によって、番組の表現が異なることを防止することが可能になり、より精度の高い同一番組の判定を行うことが可能になる。
【００２０】
また、前記表示手段は、前記同一番組判定手段により判定された番組の同一性に基づいて、現在視聴されている番組が前記録画装置において録画可能であるか否かを表示してもよい。
【００２１】
これによって、例えばユーザが所有する録画装置が設置されている場所から遠隔地で番組を視聴する際に、現在視聴している番組が録画装置の設置されている場所においても放送されているか否かを判定し、その結果を画面上に表示することができ、ユーザは、現在視聴している番組が例えばネットワークを介して録画装置に対して録画設定できるか否かを、一目で判定することが可能になる。
【００２２】
また、前記表示手段は、現在視聴されている番組が前記録画装置において録画可能である場合、前記録画可能番組表に基づいて、前記録画装置において録画可能である前記番組の視聴可能言語をさらに表示してもよい。
【００２３】
また、前記表示手段は、前記同一番組判定手段により判定された番組の同一性に基づいて、前記閲覧可能番組表に、それぞれの番組が前記録画装置において録画可能であるか否かの情報を付加して表示してもよい。
【００２４】
これによって、例えばユーザが所有する録画装置が設置されている場所から遠隔地で番組を視聴する際に、録画装置において録画可能であるか否かの情報を付加した番組表を表示することができ、ユーザは、現在位置で放送予定の番組がネットワークを介して録画設定できるか否かを、一目で判定することが可能になる。
【００２５】
また、前記視聴支援装置は、さらに、番組表の選択指示を受け付ける選択受付手段を備え、前記表示手段は、前記選択指示に基づいて、前記録画可能番組表、前記閲覧可能番組表、録画可能であるか否かの前記情報を付加した前記閲覧可能番組表のいずれか１つを表示してもよい。
【００２６】
また、前記視聴支援装置は、さらに、嗜好情報が蓄積されている嗜好情報蓄積手段と、前記嗜好情報、前記閲覧可能番組表および前記録画可能番組表に基づいて番組を選択し、選択した前記番組を推薦する番組推薦手段とを備えてもよい。
【００２７】
これによって、例えばユーザの移住地域から遠隔地で番組を視聴する際に、現在位置の地域でしか放送されていない番組を優先して推薦することができ、移動先でしか視聴できない番組を見逃すことをなくすことが可能になる。
【００２８】
また、前記番組推薦手段は、前記閲覧可能番組表に含まれる番組の中から前記録画可能番組表に含まれない番組を優先的に選択してもよい。また、前記嗜好情報は、番組の視聴履歴から抽出されてもよい。
【００２９】
また、前記視聴支援装置は、さらに番組を受信する番組受信手段と、前記番組受信手段で受信された番組を録画する番組録画手段と、前記同一番組判定手段により前記番組録画手段で録画されている番組と同一の番組が前記録画可能番組表にある判定された場合に、前記番組録画手段で録画されている番組の録画を前記録画装置へ指示する録画指示手段とを備えてもよい。
【００３０】
また、本発明に係る番組録画システムは、第１の録画装置および第２の録画装置を備える番組録画システムであって、前記第１の録画装置は、番組を受信する第１の番組受信手段と、現在位置における番組表である閲覧可能番組表と、前記第２の録画装置が設置されている場所における番組表である録画可能番組表とに基づいて、それぞれの番組の同一性を判定する同一番組判定手段と、前記同一番組判定手段により判定された番組の同一性を表示する表示手段と、前記第１の番組受信手段で受信された番組を録画する第１の番組録画手段と、前記同一番組判定手段により前記番組録画手段で録画されている番組と同一の番組が前記録画可能番組表にあると判定された場合に、前記第１の番組録画手段で録画されている番組の録画を前記第２の録画装置へ指示する録画指示手段とを備え、前記第２の録画装置は、前記録画指示手段により録画指示された番組を受信する第２の番組受信手段と、前記第２の番組受信手段で受信された番組を録画する第２の番組録画手段とを備えることを特徴とする。
【００３１】
これによって、例えば移動体端末のような第１の録画装置においてユーザが現在視聴している番組を、第１の録画装置で録画開始し、さらに、家庭内録画装置のような第２の録画装置へ録画指示することができ、ユーザは希望する番組を安定した受信状態が望める第２の録画装置で簡単に録画することが可能になる。
【００３２】
また、前記第２の録画装置は、さらに、前記第２の番組録画手段が録画指示された前記番組の録画を開始したことを前記第１の録画装置へ通知する録画情報送信手段を備え、前記第１の番組録画手段は、前記録画情報送信手段から録画開始が通知されると、前記番組の録画を中止してもよい。
【００３３】
また、前記第２の番組録画手段は、録画指示された前記番組を特定するための録画ＩＤを生成し、録画指示された前記番組を前記録画ＩＤに対応付けて録画し、前記録画情報送信手段は、前記録画ＩＤを前記第１の録画装置へ通知し、前記第１の番組録画手段は、通知された前記録画ＩＤを前記番組に対応付けて記憶してもよい。
【００３４】
また、前記第２の録画装置は、さらに、前記第１の録画装置で録画された前記番組を取得する録画番組取得手段と、取得された前記番組と、前記第２の番組録画手段で録画された前記番組とを前記録画ＩＤに基づいて結合する番組結合手段とを備えてもよい。
【００３５】
これによって、第１の録画装置において録画された番組の部分と、第２の録画装置において録画された番組の部分とを結合することができ、ユーザは第１の録画装置および第２の録画装置で録画された部分を個別に再生することなく、１つの番組として再生することが可能になる。
【００３６】
また、前記第２の録画装置は、さらに、前記録画番組取得手段により取得された前記番組と、前記第２の番組録画手段で録画された前記番組とにおいて共通する時間部分のコンテンツデータをそれぞれ抽出するサンプリング動画抽出手段と、前記サンプリング動画抽出手段により抽出されたそれぞれの前記コンテンツデータの音量パワーを計測する音量パワー計測手段と、前記音量パワー計測手段により計測されたそれぞれの前記音量パワーが同じになるように、前記音量パワーの補正量を計算する補正量計算手段とを備え、前記番組結合手段は、前記補正量計算手段により計算された前記補正量に基づいて前記音量パワーを補正して、前記録画番組取得手段により取得された前記番組と、前記第２の番組録画手段で録画された前記番組とを結合してもよい。これによって、同時刻に放映されている録画部分を利用して、各録画コンテンツの音量パワーを補正して結合しているので、再生するときに音量等を再調整する必要がない。
【００３７】
また、前記第２の録画装置は、さらに、前記録画番組取得手段により取得された前記番組、および前記第２の番組録画手段で録画された前記番組に関するタグ情報を取得するタグ情報取得手段と、前記タグ情報取得手段により取得された前記タグ情報に基づいて、前記番組のシーン切り替わり部分を検出する切替部分検出手段とを備え、前記番組結合手段は、前記切替部分検出手段により検出された前記番組のシーン切り替り部分で、前記録画番組取得手段により取得された前記番組と、前記第２の番組録画手段で録画された前記番組とを結合してもよい。これによって、番組の切れ目を録画された番組のタグ情報により検出し、番組の切れ目を利用して、録画コンテンツの結合を行っているので、録画番組の見栄えのよい結合が可能になる。
【００３８】
また、前記第２の録画装置は、さらに、前記録画番組取得手段により取得された前記番組から結合キーを抽出し、抽出した前記結合キーが前記第２の番組録画手段で録画された前記番組に存在するか否か判定する結合キー判定手段を備え、前記番組結合手段は、前記結合キー判定手段により前記結合キーが前記第２の番組録画手段で録画された前記番組に存在すると判定された場合に、前記録画番組取得手段により取得された前記番組と、前記第２の番組録画手段で録画された前記番組とを結合してもよい。これによって、第１の録画装置で録画したコンテンツは、その結合キーをもつ録画コンテンツへのコピーを許諾することにより、番組の結合が可能になる。また、結合キーをもたないメディアへのコピーを禁止することで、録画コンテンツの不正コピーを防止することも可能になる。
【００３９】
また、前記第２の録画装置は、さらに、前記録画番組取得手段により取得された前記番組を当該番組の取得先から消去する録画番組消去手段を備えてもよい。これによって、複数のメディアに録画された状態になることを防止することもできる。
【００４０】
また、前記第２の録画装置は、さらに、前記録画指示手段から録画指示を受けたときに、録画が可能か否かを判断する録画可否判断手段を備え、前記録画情報送信手段は、前記録画可否判断手段で録画できないと判断されたときに、録画できない旨を前記第１の録画装置へ通知してもよい。
【００４１】
また、前記録画可否判断手段は、さらに、録画指示手段から録画指示を受けたときに、録画指示された前記番組を前記第２の番組録画手段が録画中であるか否かを判断し、前記録画情報送信手段は、前記録画可否判断手段で前記番組を録画中であると判断されたときに、前記番組を録画中である旨を前記第１の録画装置へ通知してもよい。
【００４２】
これによって、第１の録画装置から第２の録画装置へ録画指示を行った際に、第２の録画装置の状況に応じた対応をすることが可能になる。
【００４３】
なお、本発明は、このような視聴支援装置および番組録画システムとして実現することができるだけでなく、このような視聴支援装置および番組録画システムが備える特徴的な手段をステップとする視聴支援方法および番組録画方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
【００４４】
以下、本発明の各実施の形態について、それぞれ図面を参照しながら説明する。
（実施の形態１）
図１は、本発明の実施の形態１に係る視聴支援装置の構成を示すブロック図である。
【００４５】
視聴支援装置１００は、ユーザの番組の視聴を支援する装置であり、録画装置位置取得部１０１、録画可能番組表取得部１０２、閲覧可能番組表取得部１０３、同一番組判定部１０４、および表示部１０５を備えている。
【００４６】
録画装置位置取得部１０１は、録画装置が設置されている場所（以下、録画装置設置場所という）を取得する。録画可能番組表取得部１０２は、録画装置設置場所における放送コンテンツ（番組）の番組表（以下、録画可能番組表という）を取得する。閲覧可能番組表取得部１０３は、現在位置における放送コンテンツの番組表（以下、閲覧可能番組表という）を取得する。同一番組判定部１０４は、閲覧可能番組表および録画可能番組表を比較し、それぞれの番組の同一性を判定する。表示部１０５は、同一番組判定部１０４により判定された番組の同一性に基づいて、現在視聴されている番組が録画装置において録画可能であるか否かを表示する。
【００４７】
図２は本発明の実施の形態１に係る視聴支援装置が用いられるハードウエア構成の一例を示す構成図である。このシステムは、デジタル放送を受信するデジタルテレビ１２０１、デジタル放送をハードディスクに蓄積することができる録画装置であるハードディスクレコーダ１２０２、家庭内のネットワーク機器と家庭外のネットワークとを接続するホームゲートウエイ１２０３、電子番組表が蓄積されており外部のネットワークからアクセス可能な電子番組表サーバ１２０４、およびデジタル放送を受信・表示可能で、視聴支援装置１００を有する携帯電話１２０５を備えている。
【００４８】
次に、上記のように構成された視聴支援装置１００を有する携帯電話１２０５を用いて、録画装置（ハードディスクレコーダ１２０２）が設置されている場所から遠隔地で、ユーザが番組を視聴する際の動作について説明する。図３は携帯電話１２０５でユーザが番組を視聴する際の動作の流れを示すフローチャートである。ここでは、例えば録画装置設置場所を大阪（自宅等）とし、ユーザが出張等で東京に行ったものとする。
【００４９】
まず、閲覧可能番組表取得部１０３は、受信された放送波より現在位置における番組表である閲覧可能番組表を取得する（ステップＳ１０１）。なお、番組表は、携帯電話１２０５を持参する各地域において、多重化されて配信されているものとする。そのため、放送受信チューナー内蔵の携帯電話１２０５は、各地域において、その地域で受信可能な番組に関する番組表を受信することができる。また、携帯電話１２０５がＧＰＳ機能を備え、現在位置を特定することで、その地域の番組表をネットワークを介して電子番組表サーバ１２０４から取得しても構わない。
【００５０】
次に、録画装置位置取得部１０１は、ハードディスクレコーダやＤＶＤレコーダ等のランダムアクセス可能な録画装置が設置されている場所を取得する（ステップＳ１０２）。録画装置は放送される番組を受信して記憶媒体に録画するため、録画装置設置場所は、一般にユーザの自宅等になる場合が多い。なお、録画装置設置場所は、あらかじめ設定されていても構わない。
【００５１】
録画可能番組表取得部１０２は、例えばネットワークを介して電子番組表サーバ１２０４へアクセスすることによって、録画装置位置取得部１０１によって取得された録画装置設置場所（大阪）における番組表である録画可能番組表を取得する（ステップＳ１０３）。
【００５２】
次に、同一番組判定部１０４は、閲覧可能番組表と録画可能番組表とが異なるか否かを判定する（ステップＳ１０４）。なお、本実施の形態の例では、録画装置設置場所（大阪）と、携帯電話１２０５を持ったユーザが現在いる場所（東京）では、各地域の番組が放送されているため、配信されている番組表は異なることになる。
【００５３】
この判定の結果、閲覧可能番組表と録画可能番組表とが異なる場合（ステップＳ１０４でＹＥＳ）には、同一番組判定部１０４は、現在視聴されている番組が録画装置の設置されている場所（大阪）でも放送されているか否かを判定する（ステップＳ１０５）。なお、同じ時間帯で放送されていなくても、将来、時間を変更して、または、一週間遅れて放送される場合には、放送されていると判定する。また、放送済みの場合には、放送されていないと判定する。
【００５４】
ここで、現在視聴されている番組が録画装置の設置されている場所（大阪）でも放送されている場合（ステップＳ１０５でＹＥＳ）、および上記判定処理（ステップＳ１０４）で閲覧可能番組表と録画可能番組表とが同一である場合（ステップＳ１０４でＮＯ）には、録画装置設置場所において録画可能であるため、表示部１０５は、「録画可能」のアイコンを携帯端末１２０５で現在視聴されている画面上に表示する（ステップＳ１０６）。図４は、番組が視聴されている画面の表示例を示す図である。図４では、ユーザが現在いる東京において、放送されているゴルフ番組が、録画装置設置場所（大阪）においても、放送されている番組であるため、「録画可能」のアイコンが表示されている。なお、ユーザは、録画装置に対して、例えばネットワークを介して録画設定が可能であるものとしている。
【００５５】
一方、現在視聴されている番組が録画装置の設置されている場所（大阪）で放送されていない場合（ステップＳ１０５でＮＯ）には、録画装置設置場所において録画できないため、表示部１０５は、「録画不可」のアイコンを携帯端末１２０５で現在視聴されている画面上に表示する（ステップＳ１０７）。
【００５６】
以上のように、取得した閲覧可能番組表および録画可能番組表を比較して、現在視聴している番組が録画装置設置場所においても放送されているか否かを判定し、録画可否のアイコンを画面上に表示しているので、ユーザは、現在視聴している番組がネットワークを介して録画設定できるか否かを、一目で判定することが可能になる。さらに、ユーザが録画予約の設定要求を行った場合には、ネットワークを介して家庭内録画装置において所望の設定を行うことができる。
【００５７】
なお、本実施の形態では、携帯電話のハードウエアを利用した視聴端末の例で述べたが、一般的なＰＤＡ等のネットワークに接続される端末ならば、本実施の形態は実現できる。
【００５８】
また、現在視聴されている番組が録画装置の設置されている場所でも放送されているか否かの判定処理（ステップＳ１０５）における判定に、番組に固有に付与されているＩＤを用いてもよい。このＩＤは、放送される各番組に対して付与されるＩＤであり、放送内容が異なると、異なるＩＤが付与されるものである。なお、このようなＩＤが付与されていない場合には、番組の放送時間や番組のタイトル、出演者に対するマッチングを行うことで実現することが可能となる。
【００５９】
また、本実施の形態で説明した視聴支援装置の構成は、携帯端末１２０５に内蔵されるプログラムにより実現することも可能である。また、携帯端末１２０５にはユーザとのインタフェースだけを実装し、例えば電子番組表サーバ１２０４等のサーバ装置に視聴支援装置の構成を備えても構わない。
【００６０】
（実施の形態２）
実施の形態１の変形例について説明する。実施の形態１においては、携帯電話にデジタル放送を受信する回路が内蔵されており、携帯電話においてデジタル放送を受信し視聴する場合について説明した。本実施の形態では、携帯電話にはデジタルテレビのチャンネルや画面を操作するリモコン機能を有しているものとする。
【００６１】
図５は、本発明の実施の形態２に係る視聴支援装置の構成を示すブロック図である。なお、実施の形態１と同様の部分については同じ符号を付し、詳細な説明を省略する。
【００６２】
視聴支援装置２００は、実施の形態１の構成の表示部１０５に替えて番組表表示部２０３を備えている。また、録画装置位置取得部２０１および同一番組判定部２０２の動作が実施の形態１の動作とは相違する。
【００６３】
番組表表示部２０３は、同一番組判定部２０２により判定された番組の同一性に基づいて、閲覧可能番組表に、それぞれの番組が録画装置において録画可能であるか否かの情報を付加して表示する。
【００６４】
図６は本発明の実施の形態２に係る視聴支援装置が用いられるハードウエア構成の一例を示す構成図である。このシステムは、デジタル放送を受信するデジタルテレビ１６０１、デジタル放送をハードディスクに蓄積することができる録画装置であるハードディスクレコーダ１６０２、家庭内のネットワーク機器と家庭外のネットワークとを接続するホームゲートウエイ１６０３、電子番組表が蓄積されており外部のネットワークからアクセス可能な電子番組表サーバ１６０４、デジタル放送を受信し、視聴支援装置２００を有するデジタルテレビ１６０５、およびデジタルテレビ１６０５をリモコン操作で操作できる携帯電話１６０６を備えている。
【００６５】
次に、上記のように構成された視聴支援装置２００を有するデジタルテレビ１６０５で、ユーザが番組を視聴する際の動作について説明する。図７はデジタルテレビ１６０５でユーザが番組を視聴する際の動作の流れを示すフローチャートである。ここでは、例えば録画装置（ハードディスクレコーダ１６０２）が設置されている場所を大阪（自宅等）とし、デジタルテレビ１６０５はユーザが出張等で行った東京に設置されているものとする。
【００６６】
まず、閲覧可能番組表取得部１０３は、受信された放送波より現在位置における番組表である閲覧可能番組表を取得する（ステップＳ２０１）。ここでは、例えば図９に示すような閲覧可能番組表が取得されたものとする。
【００６７】
次に、録画装置位置取得部２０１は、ユーザによる録画装置設置場所の入力を受け付け、録画装置設置場所を取得する（ステップＳ２０２）。例えば、録画装置位置取得部２０１は、図８に示すようにデジタルテレビ１６０５の画面上に録画装置設置場所を入力する画面を表示し、ユーザによりプルダウンメニューで選択された場所を録画装置設置場所として取得する。なお、携帯電話１６０６等にあらかじめユーザの録画装置設置場所（居住地域と同一の場合が多い）を記録させておき、図８に示すような録画装置設置場所を入力する画面が表示された際に、携帯電話１６０６から地域を入力するように構成しても構わない。これにより、毎回プルダウンメニューで選択することなく、携帯電話１６０６のボタン一つで居住地域を設定することが可能になる。
【００６８】
録画可能番組表取得部１０２は、例えばネットワークを介して電子番組表サーバ１２０４へアクセスすることによって、録画装置位置取得部２０１によって取得された録画装置設置場所（大阪）における番組表である録画可能番組表を取得する（ステップＳ２０３）。ここでは、例えば図１０に示すような録画可能番組表が取得されたものとする。
【００６９】
次に、同一番組判定部２０２は、閲覧可能番組表と録画可能番組表とを比較し、同一番組を判定する（ステップＳ２０４）。例えば、図９に示す閲覧可能番組表（東京地域）では、「Ｔテレビ」において１２：４５から「おまかせバンザイ」という番組を放送予定であるのに対して、図１０に示す録画可能番組表（大阪地域）では、「Ｔテレビ」において映画「魔法の宅配便」が放送される予定である。また、図９に示す閲覧可能番組表では、「Ｆテレビ」において１２：０５から「新婚さん」という番組を放送予定であるのに対して、図１０に示す録画可能番組表では、「Ｆテレビ」において「駐在さん」という番組が放送される予定である。図９および図１０に示す例では、「おまかせバンザイ」および「新婚さん」という番組以外は同一番組であるので、同一番組判定部２０２は、「おまかせバンザイ」および「新婚さん」という番組以外の番組を、同一番組と判定することになる。このような場合、例えばユーザが東京地域で視聴した番組表において、「おまかせバンザイ」または「新婚さん」という番組を録画しようと録画装置（ハードディスクレコーダ１６０２）に対して遠隔録画設定を行ったとしても、大阪地域（録画装置が設置された場所）では放送されないため、録画することができないことになる。
【００７０】
次に、番組表表示部２０３は、閲覧可能番組表に、同一番組判定部２０２により判定された同一番組に対して、録画装置において録画可能であることを示すマークを付加し、図１１に示すような番組表として表示する（ステップＳ２０５）。図１１に示す例では、「おまかせバンザイ」および「新婚さん」という番組以外にはマークが付加され、例えば携帯電話等で予約コードを入力することにより録画装置において番組の遠隔録画が可能であることを示している。一方、マークが付加されていない番組については、現地（東京）での視聴だけが可能であることを示している。
【００７１】
以上のように、取得した閲覧可能番組表および録画可能番組表を比較して同一番組を判定し、録画装置において録画可能であることを示すマーク付加した番組表に表示しているので、ユーザは、現在位置で放送予定の番組がネットワークを介して録画設定できるか否かを、一目で判定することが可能になる。
【００７２】
なお、本実施の形態では、番組表表示部２０３はマーク付加した番組表を表示しているが、これに限られるものではない。例えば、ユーザから番組表の選択指示を受け付ける選択受付部を設け、番組表表示部２０３は、ユーザから選択指示により録画可能番組表、閲覧可能番組表、マーク付加した番組表のいずれかを表示するようにしても構わない。
【００７３】
（実施の形態３）
上記実施の形態１、２において、同一番組判定部１０４、２０２は、閲覧可能番組表と録画可能番組表とを比較し、同一番組を判定することで、遠隔地において現在閲覧している番組が録画可能か否かを判定している。しかしながら、取得される閲覧可能番組表と録画可能番組表での表示内容が必ずしも同一であるとは限らない。番組内容を提供する画面の大きさによっては、省略語が用いられたりもする。例えば、「日本プロ野球ニュース速報」という番組の場合、「プロ野球Ｎ」等の省略語が用いられる場合もある。ところが、番組の時間の長さについては、同一の場合が多い。そこで、本実施の形態では、番組の放送時間の情報と番組情報のテキストの情報をもとに番組の同一性を判定する場合について、説明する。
【００７４】
図１２は、同一番組判定部の詳細な構成を示すブロック図である。
同一番組判定部は、閲覧可能番組表と録画可能番組表に基づいて、各番組の同一性を判定するものであり、図１２に示すように放映時間抽出部１０４１、検索部１０４２、テキスト情報抽出部１０４３、番組情報記憶部１０４４、一致度計算部１０４５、および判定部１０４６を備えている。
【００７５】
放映時間抽出部１０４１は、閲覧可能番組表取得部１０３で取得された閲覧可能番組表から対象番組の放映される開始時刻、終了時刻、および放映時間を抽出する。例えば、対象番組が１９：００から開始され、１９：３０に終了し、放映時間は３０分であるという情報を抽出する。
【００７６】
検索部１０４２は、録画可能番組表取得部１０２で取得された録画可能番組表を、対象番組の開始時刻、終了時刻、および放映時間を用いて検索し、同じ開始時刻、終了時刻、および放映時間である番組があれば、その番組のタイトルや出演者、副題、番組内容等を示すテキスト情報を抽出する。さらに、検索部１０４２は、同じ開始時刻、終了時刻、および放映時間である番組がなければ、録画可能番組表を対象番組の放映時間を用いて検索し、同じ放映時間である番組のテキスト情報を抽出する。
【００７７】
テキスト情報抽出部１０４３は、閲覧可能番組表取得部１０３で取得された閲覧可能番組表から対象番組のタイトルや出演者、副題、番組内容を示すテキスト情報を抽出する。番組情報記憶部１０４４は、検索部１０４２で抽出されたテキスト情報を記憶する。例えば、対象番組の放映時間が３０分であれば、３０分の放映時間の番組の集合が検索結果として記憶される。
【００７８】
一致度計算部１０４５は、対象番組と番組情報記憶部１０４４に記憶されている番組との間の一致度を計算する。すなわち、一致度計算部１０４５は、テキスト情報抽出部１０４３で抽出された対象番組のテキスト情報と、番組情報記憶部１０４４に記憶されている番組のテキスト情報との比較を行い、番組の一致度を計算する。例えば、図１３に示すように、番組のテキスト情報に対して、例えば、タイトル、内容、出演者等の情報に分離し、各情報に対して、形態素解析等の文章処理を行い、文字間での一致度、または、単語間での一致度を計算する。ここで、図１３に示す番組のテキスト情報８０１は、内容が詳しく記載された例であり、番組のテキスト情報８０２、８０３は、内容が省略されて記載された例である。例えば、番組のテキスト情報８０２のように出演者の一部の情報だけが記載されていたり、番組のテキスト情報８０３のように「ニュース」というキーワードが「Ｎ」だけで表現されていたりする番組がある。このように、出演者の一部の情報だけが記載され、これが詳しく記載された番組のテキスト情報と一致した場合や、タイトルが部分的に一致している場合等は一致度が高いものとして算出する。
【００７９】
判定部１０４６は、一致度計算部１０４５で計算された番組間の一致度が所定の閾値以上であるか否かを判定し、所定の閾値以上であれば同一番組であると判定する。
【００８０】
次に、このように構成された同一番組判定部の動作について説明する。図１４は同一番組判定部の動作の流れを示すフローチャートである。
【００８１】
放映時間抽出部１０４１は、閲覧可能番組表から対象番組の放映される開始時刻、終了時刻、および放映時間を抽出する（ステップＳ６０１）。次に、検索部１０４２は、録画可能番組表に、対象番組と同じ開始時刻、終了時刻、および放映時間である番組があるか否かを判定する（ステップＳ６０２）。ここで、同じ開始時刻、終了時刻、および放映時間である番組があれば（ステップＳ６０２でＹＥＳ）、その番組のタイトルや出演者、副題、番組内容等を示すテキスト情報を抽出し、番組情報記憶部１０４４に記憶する（ステップＳ６０３）。次に、テキスト情報抽出部１０４３は、閲覧可能番組表から対象番組のタイトルや出演者、副題、番組内容を示すテキスト情報を抽出する（ステップＳ６０４）。
【００８２】
一方、検索部１０４２における上記判定（ステップＳ６０２）の結果、同じ開始時刻、終了時刻、および放映時間である番組がなければ（ステップＳ６０２でＮＯ）、検索部１０４２は、録画可能番組表を対象番組の放映時間を用いて検索し、同じ放映時間である番組があるか否かを判定する（ステップＳ６０９）。ここで、同じ放映時間である番組があれば（ステップＳ６０９でＹＥＳ）、その番組のタイトルや出演者、副題、番組内容等を示すテキスト情報を抽出し、番組情報記憶部１０４４に記憶する（ステップＳ６１０）。
【００８３】
次に、一致度計算部１０４５は、テキスト情報抽出部１０４３で抽出された対象番組のテキスト情報と、番組情報記憶部１０４４に記憶されている番組のテキスト情報との比較を行い、番組間の一致度を計算する（ステップＳ６０５）。そして、判定部１０４６は、一致度計算部１０４５で計算された番組間の一致度が所定の閾値以上であるか否かを判定する（ステップＳ６０６）。この結果、一致度が所定の閾値以上であれば（ステップＳ６０６でＹＥＳ）、判定部１０４６は、対象番組が録画装置設置場所においても放映されていると判定する（ステップＳ６０７）。
【００８４】
また、検索部１０４２における上記判定（ステップＳ６０８）の結果、同じ放映時間である番組がなければ（ステップＳ６０８でＮＯ）、判定部１０４６は、対象番組が録画装置設置場所において放映されていないと判定する（ステップＳ６１１）。
【００８５】
なお、実施の形態２においては、同一番組判定部は閲覧可能番組表の各番組について上記の動作を繰り返すことになる。
【００８６】
以上のようにして、番組の放映時間の情報と、番組のタイトル、副題、出演者等の番組表に記載されたテキスト情報を利用して同一番組か否かを判定することが可能になる。
【００８７】
なお、ドラマ等で同じタイトルであるが、放送の回数が異なることにより、番組の内容が異なる場合がある。この場合には、過去の番組表を参照し、何回目の放送であるかを判定することで、同一番組であるかどうかを判定することも必要となる。また、逆に、将来の番組表が配信されている場合には、最終回までの番組の放送回数を用いて、同一の番組か否かを判定してもよい。
【００８８】
すなわち、対象とする番組が放送されている間隔を検出し、その間隔を基に前回放送されている時間を推定し、その時間に放送されていた場合には、さらに、その回の前に放送されていたかを検出し、検出されなかった場合には、その回が最初の放送日と判断し、対象とする番組の放送回数を算出する放送回数算出部により同一番組であるか否かを判定する。具体的に、ある番組が放送されている回数を算出する方法について述べる。例えば、「番組Ａ」が放送されている回数を算出する場合について述べる。配信された過去の番組表において、「番組Ａ」を検索した場合、「番組Ａ」が放送されて終了し、さらに次に、「番組Ａ」の放送があったときまでの放送回数を算出してしまう。これによると、過去に「番組Ａ」が放送されたすべての回数が算出され、今回のクールでの「番組Ａ」の回数とならない。そこで、はじめに、対象としている「番組Ａ」が毎週放送されている番組であるか、毎日放送されている番組であるか、という「番組Ａ」の放送間隔を算出する。次に、その放送間隔で放送されていると仮定し、毎日放送されている場合には、前回放送された時間帯において放送されているか否かを検索する。一般に、毎日放送されている番組に関しては、平日のみ毎日放送されている番組と、休日も含めて毎日放送されている番組がある。そこで、毎日放送されている番組に関しては、平日のみの番組か休日も含めての毎日の番組かを区別して、前回放送されていると予想される時間帯を検索する。前回放送されていると予想される時間帯に放送されていた場合には、同様に、さらに前回放送されていると予想される時間帯で放送されているか否かを検索する。この繰り返しにより、前回、放送されていると予想される時間帯に放送されていなかった場合には、その回が放送の初回であると判断し、その回から、現在までの放送回数で、「番組Ａ」の放送回数を算出する。
【００８９】
また、ニュースや天気予報等の、頻繁にある番組の場合には、アイコン等で番組の内容が提供される場合もある。そこで、アイコンとその内容をテキスト情報での対応付けを蓄積しているアイコン内容蓄積部を備えることで、一方の番組表の内容がアイコンで表現されている場合においても、番組の対応関係を判定することが可能になる。
【００９０】
（実施の形態４）
上記実施の形態１、２において、閲覧可能な番組表を取得したときに、録画装置が設置されている録画装置設置場所の番組表を取得し、各番組の一致度を計算することで、同一番組か否かを判定している。しかしながら、携帯電話を保有するユーザが旅行先において番組を閲覧しているときに、録画装置が設置されている場所における番組表を取得しなくても、ユーザは普段、録画装置が設置されている自宅等で生活し、その場所においても、番組表を取得していることが多い。また、番組表は、現在放映されている番組だけでなく、将来、放送される番組情報も番組コンテンツに多重化されて配信されていることが多い。
【００９１】
そこで、本実施の形態では、自宅等（録画装置が設置されている場所）で受信した番組表を携帯端末に蓄積しておき、例えば旅行先で番組表を受信して録画可能な番組表と比較するときに、すでに蓄積されている番組表を用いる場合について説明する。
【００９２】
図１５は、本発明の実施の形態４に係る視聴支援装置の構成を示すブロック図である。なお、実施の形態１と同様の部分については同じ符号を付し、詳細な説明を省略する。
【００９３】
視聴支援装置１１０は、ユーザの番組の視聴を支援する装置であり、図１５に示すように録画可能番組表記憶部１１１、閲覧可能番組表記憶部１１２、録画可能番組表更新部１１３、対応番組表判定部１１４、対応番組表取得部１１５、同一番組判定部１０４、および表示部１０５を備えている。
【００９４】
録画可能番組表記憶部１１１は、録画可能番組表を記憶する。閲覧可能番組表記憶部１１２は、閲覧可能番組表を記憶する。
【００９５】
録画可能番組表更新部１１３は、録画装置設置場所において新しい番組表を取得すると、取得した番組表を録画可能番組表記憶部１１１へ記憶する。特に、将来、放映される番組表を取得、記憶する。携帯電話等で放送コンテンツを取得し閲覧した場合には、同時に多重化されて放映されている番組表に関する情報を、ユーザの閲覧の有無に関わらず取得し、記憶する。また、録画可能番組表更新部１１３は、録画装置設置場所以外の番組表を取得すると、閲覧可能番組表記憶部１１２へ記憶する。
【００９６】
対応番組表判定部１１４は、録画可能番組表更新部１１３により録画装置設置場所以外の番組表を取得されると、閲覧可能番組表記憶部１１２に記憶されるこの番組表に対応する録画装置設置場所における番組表（例えば、同一性の判定を行う番組が含まれる日や時間帯等の番組表：以下、対応番組表という）が、すでに録画可能番組表記憶部１１１に記憶されているか否かを判定する。
【００９７】
対応番組表取得部１１５は、対応番組表判定部１１４で対応番組表が記憶されていないと判定された場合、ネットワーク等を介して録画装置設置場所で放映される番組表を取得する。なお、対応番組表判定部１１４で対応番組表が記憶されていると判定された場合には、対応番組表取得部１１５は、新たに番組表を取得しない。
【００９８】
同一番組判定部１０４は、対応番組表が記憶されている場合には、閲覧可能番組表記憶部１１２に記憶された番組表と、録画可能番組表記憶部１１１に記憶された録画可能番組表とを用いて、上記実施の形態と同様に同一番組か否かを判定する。一方、対応番組表が記憶されていない場合には、同一番組判定部１０４は、閲覧可能番組表記憶部１１２に記憶された番組表と、対応番組表取得部１１５で取得された録画可能番組表とを用いて、上記実施の形態と同様に同一番組か否かを判定する。
【００９９】
次に、上記のように構成された視聴支援装置１１０における同一番組判定の動作について説明する。図１６はこの視聴支援装置１１０における同一番組判定の動作の流れを示すフローチャートである。
【０１００】
まず、録画可能番組表更新部１１３は、受信された放送波より現在位置における番組表を取得する（ステップＳ７０１）。次に、録画可能番組表更新部１１３は、放送済みの番組の情報を録画可能番組表記憶部１１１に記憶された番組表から消去する（ステップＳ７０２）。次に、録画可能番組表更新部１１３は、取得した番組表が録画装置設置場所以外の番組表であるか否かを判定する（ステップＳ７０３）。この結果、取得した番組表が録画装置設置場所以外の番組表でない場合（ステップＳ７０３でＮＯ）には、録画可能番組表更新部１１３は、取得した番組表を録画可能番組表記憶部１１１へ記憶し、上記動作を繰り返す（ステップＳ７０３→ステップＳ７０１）。なお、ここでは録画装置設置場所は、あらかじめ設定されているものとする。
【０１０１】
一方、取得した番組表が録画装置設置場所以外の番組表である場合（ステップＳ７０３でＹＥＳ）、録画可能番組表更新部１１３は、取得した番組表を閲覧可能番組表記憶部１１２へ記憶する。そして対応番組表判定部１１４は、取得された番組表に対応する録画装置設置場所における番組表が、すでに録画可能番組表記憶部１１１に記憶されているか否かを判定する（ステップＳ７０４）。ここで、対応番組表がすでに記憶されている場合（ステップＳ７０４でＹＥＳ）には、同一番組判定部１０４は、閲覧可能番組表記憶部１１２に記憶されている番組表および録画可能番組表記憶部１１１に記憶されている番組表を用いて同一番組の判定を行う（ステップＳ７０５）。一方、対応番組表が記憶されていない場合（ステップＳ７０４でＮＯ）には、対応番組表取得部１１５は、ネットワーク等を介して録画装置設置場所で放映される番組表を取得する（ステップＳ７０６）。そして、同一番組判定部１０４は、閲覧可能番組表記憶部１１２に記憶されている番組表および対応番組表取得部１１５で取得された番組表を用いて同一番組の判定を行う（ステップＳ７０５）。
【０１０２】
以上のように、録画装置設置場所の番組表がすでに記憶されている場合には、新たに番組表を取得することなく、遠隔録画が可能か否かを判定することが可能になる。また、もし録画装置設置場所の番組表が記憶されていなくても、新たに、ネットワークを介して録画装置設置場所で放映されている番組表を取得するので、遠隔録画が可能か否かを判定することが可能になる。
【０１０３】
（実施の形態５）
番組表の情報は、多数の業者が配信することがあり、地域によっても異なる場合がある。その場合、同一の番組であっても、異なる表現で番組表が提供されることが多い。そこで、本実施の形態では、録画装置が設置されている場所での番組表の提供元と、閲覧可能（現在位置）である番組表の提供元が異なる場合に、提供元が同じ番組表を取得して、同一番組の判定に用いる場合について説明する。
【０１０４】
図１７は、本発明の実施の形態５に係る視聴支援装置の構成を示すブロック図である。なお、実施の形態１と同様の部分については同じ符号を付し、詳細な説明を省略する。また、視聴支援装置が用いられるハードウエア構成についても図２に示す実施の形態１と同じであるものとする。
【０１０５】
視聴支援装置１２０は、ユーザの番組の視聴を支援する装置であり、図１７に示すように録画可能番組表取得部１０２、閲覧可能番組表取得部１０３、提供元検出部１２１、番組表取得部１２２、同一番組判定部１０４、および表示部１０５を備えている。
【０１０６】
提供元検出部１２１は、閲覧可能番組表取得部１０３により取得された閲覧可能番組表および録画可能番組表取得部１０２により取得された録画可能番組表の提供元を検出し、それぞれの提供元が同じであるか否かを判定する。
【０１０７】
番組表取得部１２２は、閲覧可能番組表および録画可能番組表の提供元が同じでない場合、録画装置設置場所と現在位置との両方で番組表を提供している提供元の番組表を取得する。
【０１０８】
次に、上記のように構成された視聴支援装置１２０における同一番組判定の動作について説明する。図１８はこの視聴支援装置１２０における同一番組判定の動作の流れを示すフローチャートである。
【０１０９】
まず、閲覧可能番組表取得部１０３は、受信された放送波より現在位置における番組表である閲覧可能番組表を取得する（ステップＳ８０１）。次に、録画可能番組表取得部１０２は、例えばネットワークを介して電子番組表サーバ１２０４へアクセスすることによって、録画装置設置場所における番組表である録画可能番組表を取得する（ステップＳ８０２）。なお、ここでは録画装置設置場所は、あらかじめ設定されているものとする。
【０１１０】
提供元検出部１２１は、閲覧可能番組表および録画可能番組表の提供元を検出し、それぞれの提供元が同じであるか否かを判定する（ステップＳ８０３）。この結果、閲覧可能番組表および録画可能番組表の提供元が同じである場合（ステップＳ８０３でＹＥＳ）、同一番組判定部１０４は、この閲覧可能番組表および録画可能番組表を用いて同一番組の判定を行う（ステップＳ８０４）。一方、閲覧可能番組表および録画可能番組表の提供元が同じでない場合（ステップＳ８０３でＮＯ）、番組表取得部１２２は、例えばネットワークを介して電子番組表サーバ１２０４へアクセスすることによって、録画装置設置場所と現在位置との両方で番組表を提供している提供元を検索し、録画装置設置場所と現在位置とにおけるこの提供元の番組表を取得する（ステップＳ８０５）。そして、同一番組判定部１０４は、番組表取得部１２２で取得された提供元が同じである閲覧可能番組表および録画可能番組表を用いて同一番組の判定を行う（ステップＳ８０４）。
【０１１１】
以上のように、閲覧可能番組表および録画可能番組表の提供元が異なる場合に、提供元が同じ番組表を取得して、同一番組の判定に用いているので、同一番組であるのに、配信業者によって、番組の表現が異なることを防止することが可能になり、より精度の高い同一番組の判定を行うことが可能になる。
【０１１２】
なお、上記各実施の形態では、「録画可能」等のアイコンや録画可能であることを示すマーク等を表示しているが、これに限られるものではない。例えば、図１９（ａ）に示すように、同一番組に対して、録画装置設置場所と現在位置とにおいて配信されている言語が異なる場合には、録画可能番組表からその番組が配信される言語を抽出し、図１９（ｂ）に示すように、録画装置が設置されている場所での言語を表示しても構わない。これによって、配信される言語に応じて録画するか否かをユーザに選択させることが可能になる。
【０１１３】
（実施の形態６）
近年、ハードディスク等の低価格化によりテレビ等の視聴履歴が容易に蓄積できるようになってきている。そこで、ユーザの日常生活における視聴履歴から、ユーザの嗜好を抽出し、番組情報を基に視聴しそうな番組を推薦することが可能になってきている。さらに、通信機器のハードウエアの小型化により、どこでも放送コンテンツを視聴できるような環境も整いつつある。そこで、旅行先等で、普段の視聴履歴から得られたユーザの嗜好を利用して番組推薦を行ったとしても、日常と同様の嗜好を基に番組が選択されるため、旅行先でしか視聴できない番組を推薦してもらえることがない。
【０１１４】
そこで、本実施の形態では、旅行等で居住地域から離れた場所で番組を視聴する場合には、旅先でしか視聴できない番組を優先的に推薦する装置を提供するものである。
【０１１５】
図２０は、本発明の実施の形態６に係る視聴支援装置の構成を示すブロック図である。
視聴支援装置３００は、ユーザの番組の視聴を支援する装置であり、視聴履歴蓄積部３０１、番組表取得部３０２、嗜好情報抽出部３０３、居住地域番組表蓄積部３０４、閲覧可能番組表蓄積部３０５、および番組推薦部３０６を備えている。
【０１１６】
視聴履歴蓄積部３０１は、番組の視聴履歴を取得し、蓄積する。番組表取得部３０２は、放送コンテンツの番組表および番組に関する番組情報を受信し、取得する。嗜好情報抽出部３０３は、視聴履歴蓄積部３０１により蓄積された視聴履歴と視聴された番組の番組情報からユーザの嗜好情報を抽出する。居住地域番組表蓄積部３０４は、番組表取得部３０２により取得されたユーザが普段生活している居住地域で放送されている番組表（以下、居住地域番組表という）を蓄積する。閲覧可能番組表蓄積部３０５は、番組表取得部３０２により取得された現在の地域で視聴が可能な番組表（以下、閲覧可能番組表という）を蓄積する。番組推薦部３０６は、閲覧可能番組表の中の番組で居住地域番組表に含まれていない番組を優先してユーザの嗜好情報に基づいて番組を選択する。
【０１１７】
図２１は本発明の実施の形態６に係る視聴支援装置が用いられるハードウエア構成の一例を示す構成図である。このシステムは、デジタル放送を受信するデジタルテレビ２２０１、デジタル放送をハードディスクに蓄積することができるハードディスクレコーダ２２０２、家庭内のネットワーク機器と家庭外のネットワークとを接続するホームゲートウエイ２２０３、およびデジタル放送を受信し視聴できる、視聴支援装置３００を有する携帯電話２２０４を備えている。
【０１１８】
次に、上記のように構成された視聴支援装置３００を有する携帯電話２２０４を用いて、ユーザが番組を視聴する際の動作について説明する。図２２は携帯電話２２０４でユーザが番組を視聴する際の動作の流れを示すフローチャートである。
【０１１９】
視聴履歴蓄積部３０１は、視聴が開始および終了された日時に関する情報と、視聴されたチャンネルに関する情報と、番組表取得部３０２により取得された番組情報中のテーマの情報とを視聴履歴として蓄積する（ステップＳ３０１）。なお、ここでは、番組を配信するサービス事業者から配信される番組情報には、サービス事業者によりあらかじめ設定された各番組のテーマが含まれているものとする。
【０１２０】
嗜好情報抽出部３０３は、視聴履歴があらかじめ設定された視聴時間（例えば、４０時間等）だけ蓄積されたか否かを判断する（ステップＳ３０２）。ここで、設定された視聴時間に満たない場合（ステップＳ３０２でＮＯ）には、ユーザによる番組の視聴と視聴履歴蓄積部３０１による視聴履歴の蓄積を繰り返す。
【０１２１】
一方、設定された視聴時間を超えた場合（ステップＳ３０２でＹＥＳ）には、その視聴履歴からユーザの嗜好を抽出できると判断し、嗜好情報抽出部３０３は、視聴した履歴の統計情報から、ユーザの嗜好を抽出する（ステップＳ３０３）。すなわち、嗜好情報抽出部３０３は、視聴履歴蓄積部３０１により蓄積された視聴履歴より、例えば図２３に示すようにテーマごとの視聴時間の合計を算出する。図２３に示す例では、このユーザは視聴履歴からスポーツ番組を好んで視聴していることがわかる。なお、本実施の形態では、放送される番組にあらかじめテーマに関する情報が付加されているものとしたが、番組の内容のテキスト情報から自然言語処理手法等を利用して特徴的なキーワードを抽出してもよい。
【０１２２】
番組表取得部３０２は、居住地域番組表を取得し、居住地域番組表蓄積部３０４へ蓄積する（ステップＳ３０４）。ここでは、例えば１ヶ月先までの居住地域番組表を取得し、蓄積しているものとする。なお、この居住地域番組表の取得および蓄積については、ユーザが居住地域にいる際に行われるものとする。
【０１２３】
番組表取得部３０２は、現在位置での閲覧可能番組表を取得し、閲覧可能番組表蓄積部３０５へ蓄積する（ステップＳ３０５）。
【０１２４】
番組推薦部３０６は、居住地域番組表と閲覧可能番組表とを比較し、同じであるか否かを判定する（ステップＳ３０６）。この判定の結果、居住地域番組表と閲覧可能番組表とが異なる場合（ステップＳ３０６でＮＯ）には、番組推薦部３０６は、閲覧可能番組表の番組で居住地域番組表に含まれていない番組を選択し、それらの番組の中から、嗜好情報抽出部３０３により抽出されたユーザの嗜好情報に合う番組を推薦番組として、例えば図２４に示すように表示し、推薦を行う（ステップＳ３０７）。例えば、ユーザの現在位置が居住地域から遠隔地である場合等に、居住地域番組表と閲覧可能番組表とが異なることになる。すなわち、ユーザが現在いる地域では放送されているが、ユーザの居住地域で放送されていない番組を優先して推薦を行う。
【０１２５】
一方、この判定の結果、居住地域番組表と閲覧可能番組表とが同じ場合（ステップＳ３０６でＹＥＳ）には、番組推薦部３０６は、閲覧可能番組表の番組の中から、ユーザの嗜好情報にあった番組を推薦番組として推薦する（ステップＳ３０８）。
【０１２６】
以上のように、旅先や出張先など、ユーザの生活エリア外でしか放送されていない番組を重点的に推薦することができ、移動先でしか視聴できない番組を見逃すことをなくすことが可能になる。
【０１２７】
（実施の形態７）
携帯電話で視聴する番組を録画する場合、携帯電話は持ち歩かれるため電波状態が安定して受信できず、鮮明に番組を録画することは難しい。また、携帯電話で視聴中の放送を遠隔操作により家庭内録画装置で録画しようとしても、すぐに録画することができない。そこで、本実施の形態では、携帯電話と家庭内録画装置とで連携して番組を録画するシステムについて説明する。
【０１２８】
図２５は、本発明の実施の形態７に係る番組録画システムの構成を示すブロック図である。
【０１２９】
番組録画システムは、２つの録画装置で連携して番組の録画を行うシステムであり、第１の録画装置４００と、第１の録画装置４００とネットワークを介して接続される第２の録画装置５００とを備えている。
【０１３０】
第１の録画装置４００は、例えば携帯電話等の装置であり、第１の番組受信部４０１、第１の番組録画部４０２、録画指示送信部４０３、および録画情報受信部４０４を備えている。一方、第２の録画装置５００は、例えば家庭内に設けられる録画装置であり、第２の番組受信部５０１、第２の番組録画部５０２、録画指示受信部５０３、および録画情報送信部５０４を備えている。
【０１３１】
第１の番組受信部４０１は、放送されている番組を受信する。第１の番組録画部４０２は、第１の番組受信部４０１で受信された番組を録画する。録画指示送信部４０３は、第１の番組録画部４０２で録画されている番組の録画指示を第２の録画装置５００へ送信する。録画情報受信部４０４は、第２の録画装置５００から送信された、録画が開始された時刻と録画ＩＤを含む録画情報を受信する。
【０１３２】
録画指示受信部５０３は、第１の録画装置４００から送信された、番組の録画指示を受信する。第２の番組受信部５０１は、放送されている番組を受信する。第２の番組録画部５０２は、第１の録画装置４００から録画指示された番組を特定するための録画ＩＤを生成し、録画指示された番組を録画ＩＤに対応付けて録画する。録画情報送信部５０４は、第２の番組録画部５０２で録画が開始された時刻と生成された録画ＩＤを含む録画情報を第１の録画装置４００へ送信する。
【０１３３】
図２６は本発明の実施の形態７に係る番組録画システムが用いられるハードウエア構成の一例を示す構成図である。このシステムは、デジタル放送を受信するデジタルテレビ２７０１、デジタル放送をハードディスクに蓄積することができる第２の録画装置５００であるハードディスクレコーダ２７０２、家庭内のネットワーク機器と家庭外のネットワークとを接続するホームゲートウエイ２７０３、デジタル放送を受信し、視聴できる第１の録画装置４００である携帯電話２７０４、および放送等のコンテンツを蓄積可能な番組蓄積半導体メディア２７０５を備えている。
【０１３４】
次に、上記のように構成された番組録画システムの第１の録画装置４００である携帯電話２７０４で視聴している番組を録画する際の動作について説明する。図２７は番組録画システムで番組を録画する際の動作の流れを示すフローチャートである。
【０１３５】
ここでは、ユーザが、例えば図２８に示すように携帯電話２７０４でスポーツ番組を視聴しているときに、その番組を繰り返し視聴、または保存用に蓄積しようと思い、番組を録画する指示を携帯電話２７０４に対して与えるものとする。
【０１３６】
第１の録画装置４００（携帯電話２７０４）において、ユーザによって視聴されている番組の録画要求が行われる（ステップＳ４０１）と、第１の番組録画部４０２は、録画要求が行われた番組の録画を開始する（ステップＳ４０２）。ここでは、第１の番組録画部４０２は、携帯電話２７０４に装着されている番組蓄積半導体メディア２７０５に番組を記憶するものとする。また、第１の番組録画部４０２は、同時に、例えば図２９に示すようにファイル名（例えば「００１．ｍｐｇ」等）と、録画を開始した時刻（例えば「９時８分１０秒」等）、タイトル（例えば「スポーツばんざい」等）等の情報を記憶する。
【０１３７】
同時に、録画指示送信部４０３は、録画要求が行われた番組の録画指示をネットワークおよびホームゲートウエイを介して第２の録画装置５００へ送信する（ステップＳ４０３）。このとき、録画指示送信部４０３は、録画指示に録画要求が行われた番組のチャンネル情報を含めて送信する。
【０１３８】
第２の録画装置５００（ハードディスクレコーダ２７０２）の録画指示受信部５０３は、第１の録画装置４００から送信された録画指示を受信する（ステップＳ４０４）。そして、録画指示受信部５０３は、チャンネル情報を第２の番組受信部５０１へ、録画指示を第２の番組録画部５０２へ通知する。
【０１３９】
第２の番組受信部５０１は、通知されたチャンネルの放送を受信する。第２の番組録画部５０２は、録画指示された番組を特定するための録画ＩＤを生成する（ステップＳ４０５）。そして、第２の番組録画部５０２は、録画ＩＤに対応付けて、第２の番組受信部５０１で受信された番組の録画を開始する（ステップＳ４０５）。図３０は第２の録画装置５００に録画された番組の録画情報の一例を示す図である。図３０に示す例では、録画情報として、録画ＩＤ、録画日、録画開始時刻、タイトル、録画設定元の情報が蓄積されている。また、録画設定元には、直接録画要求、予約録画、携帯電話で録画設定等の情報が蓄積される。
【０１４０】
次に、録画情報送信部５０４は、録画ＩＤおよび録画開始時刻を録画情報として第１の録画装置４００へ送信する（ステップＳ４０７）。これにより、第２の録画装置５００で録画が始まったことを第１の録画装置４００へ知らせることになる。
【０１４１】
第１の録画装置４００の録画情報受信部４０４は、第２の録画装置５００から送信された、録画が開始された時刻と録画ＩＤを含む録画情報を受信し、第１の番組録画部４０２へ通知する（ステップＳ４０８）。ここで、録画指示された番組が図３０に示す「スポーツばんざい」であれば、録画ＩＤとして「１２」を受信することになる。
【０１４２】
第１の番組録画部４０２は、録画ＩＤが通知されると例えば図３２に示すようなメッセージを表示し、録画中の番組の録画を終了する（ステップＳ４０９）。このとき、第１の番組録画部４０２は、録画を終了した番組に録画ＩＤを対応付けて記憶する。これにより、番組蓄積半導体メディア２７０５には、例えば図２９に示すように、ファイル名、録画開始時刻、タイトル等の情報に加えて、録画ＩＤ（例えば、「１２」等）、録画終了時刻（例えば「９時１０分１３秒」等）の情報が蓄積されることになる。
【０１４３】
以上のように、第１の録画装置４００（携帯電話２７０４）で番組の録画要求が行われた段階で、第１の録画装置４００での録画を開始し、第２の録画装置５００（ハードディスクレコーダ２７０２）での録画開始が実行されるまでは、第１の録画装置４００での録画を継続する。そして、第２の録画装置５００での録画が開始された時点で、第１の録画装置４００の録画を終了させている。よって、第１の録画装置４００においてユーザが現在視聴している番組を、第１の録画装置４００で録画開始し、さらに、第２の録画装置５００へ録画指示することができ、ユーザは希望する番組を安定した受信状態が望める第２の録画装置５００で簡単に録画することが可能になる。
【０１４４】
また、電波状態が安定しない場合だけに限られず、例えば電池の残量が少なくなった場合やメモリの容量が少なくなった場合等にも有効である。
【０１４５】
また、第２の録画装置５００は、インタフェースに第１の録画装置４００で録画された半導体メモリが挿入されることにより、第１の録画装置４００で録画された番組を取得し、この番組と第２の番組録画部５０２で録画した番組とを結合することが可能である。このとき、録画ＩＤに基づいて、第１の録画装置４００で録画された番組の続きが、第２の番組録画部５０２で録画されたどの番組であるかを判定し、結合することができる。これにより、第１の録画装置４００および第２の番組録画部５０２で別々に部分録画された番組を例えば図３１に示すように１つの番組として認識することができる。
【０１４６】
また、本実施の形態では、第２の録画装置５００のインタフェースに第１の録画装置４００で録画された半導体メモリが挿入されることにより、第１の録画装置４００で録画された番組と、第２の録画装置５００で録画した番組とを結合させ、連続的に視聴できるものとした。しかしながら、第１の録画装置４００と第２の録画装置５００との間で充分な帯域が確保できれば、第２の録画装置５００で録画完了した番組を第１の録画装置４００に配信することで、第１の録画装置４００において番組を結合して再生することが可能になる。これにより、ユーザはあたかも第１の録画装置４００の操作だけで、番組が第１の録画装置４００で録画でき、しかも、第２の録画装置５００で番組を録画しているため、第１の録画装置４００の電池を消耗することなく、さらに、家庭内の固定されたアンテナで番組を受信していることにより、鮮明な画像で録画することができる。
【０１４７】
また、本実施の形態では、第１の録画装置４００での録画指示があってから第２の録画装置５００との通信を行ったが、第１の録画装置４００の番組閲覧操作が開始された時点で、第２の録画装置５００との通信を行っても構わない。これにより、第１の録画装置４００での録画指示があった場合には、即座に録画を開始することが可能になる。また、第１の録画装置４００での番組閲覧が開始されたときに、第２の録画装置５００において、番組の録画を開始しても構わない。これにより、第１の録画装置４００からの録画指示があった場合に、既に放送が始まっている番組も連続的に録画することが可能になる。
【０１４８】
（実施の形態８）
実施の形態７では、携帯電話と家庭内録画装置とで連携して番組を録画する場合について説明したが、本実施の形態では、さらに録画指示する番組が家庭内録画装置の設置されている場所で放映されているかを携帯電話において判定した上で、録画指示する場合について説明する。
【０１４９】
図３３は、本発明の実施の形態８に係る番組録画システムの構成を示すブロック図である。なお、実施の形態１および実施の形態７と同様の部分については同じ符号を付し、詳細な説明を省略する。
【０１５０】
本実施の形態の番組録画システムでは、第１の録画装置４１０は、実施の形態７の第１の録画装置４００の構成に加えて、図３３に示すように録画可能番組表取得部１０２、閲覧可能番組表取得部１０３、および同一番組判定部４１１を備えている。
【０１５１】
同一番組判定部４１１は、閲覧可能番組表および録画可能番組表を比較し、第１の番組録画部４０２で録画されている番組と同一の番組が第２の録画装置５００の設置されている場所で放映されているか否かを判定する。録画指示送信部４１２は、同一の番組が第２の録画装置５００の設置されている場所で放映されていると判定された場合に、第１の番組録画部４０２で録画されている番組の録画指示を第２の録画装置５００へ送信する。一方、同一の番組が第２の録画装置５００の設置されている場所で放映されていないと判定した場合には、同一番組判定部４１１は、例えば「この番組は第２の録画装置５００の設置されている場所では放映されていません」というようなメッセージを表示させる。
【０１５２】
以上のように、第１の録画装置４１０で録画要求が行われた番組が第２の録画装置５００の設置されている場所で放映されているか否かを判定した上で、録画指示を行っているので、第２の録画装置５００において異なった番組が録画されるのを防止することができる。
【０１５３】
（実施の形態９）
例えば、上記実施の形態７のような番組録画システムにおいて、第１の録画装置で録画した番組と、第２の録画装置で録画した番組は、録画装置が異なるため、音量等の大きさが異なることがある。異なる音量で録画コンテンツを結合すると、コンテンツの結合部分の前後において、再生するときに音量等を調整する必要がでる場合がある。そこで、本実施の形態においては、各録画装置で録画されたコンテンツの音量パワーを補正して結合する場合について説明する。
【０１５４】
図３４は、本発明の実施の形態９に係る番組録画システムにおける第２の録画装置の構成を示すブロック図である。なお、第１の録画装置の構成については、実施の形態７と同様であるので、説明を省略する。
【０１５５】
第２の録画装置５１０は、例えば家庭内に設けられる録画装置であり、図３４に示すように録画番組取得部５１１、録画番組蓄積部５１２、サンプリング動画抽出部５１３、音量パワー計測部５１４、音量パワー補正量計算部５１５、および録画番組結合部５１６を備えている。
【０１５６】
録画番組取得部５１１は、例えば第１の録画装置４００で番組が録画された半導体メモリより、第１の録画装置４００で録画された番組（以下、第１の録画コンテンツという）を取得する。録画番組蓄積部５１２は、第１の録画装置４００からの録画指示により録画された番組（以下、第２の録画コンテンツという）を蓄積している。サンプリング動画抽出部５１３は、録画番組取得部５１１により取得された第１の録画コンテンツと、録画番組蓄積部５１２に蓄積されている第２の録画コンテンツとにおいて共通する時間部分のコンテンツデータ（以下、サンプリング動画という）をそれぞれ抽出する。なお、第１の録画コンテンツと第２の録画コンテンツとには、所定の時間分のコンテンツデータが両方で録画されているものとする。
【０１５７】
音量パワー計測部５１４は、サンプリング動画抽出部５１３で抽出されたサンプリング動画の音量パワーをそれぞれ計測する。図３５は、音量パワー計測部で計測されたサンプリング動画の音量パワーの一例を示す図であり、（ａ）第１の録画コンテンツ、（ｂ）第２の録画コンテンツ、の例を示す図である。図３５（ａ）、（ｂ）に示すように、第１の録画コンテンツと第２の録画コンテンツとでは波形は同じであるが振幅に差がある。
【０１５８】
音量パワー補正量計算部５１５は、第１の録画コンテンツおよび第２の録画コンテンツのサンプリング動画における音量パワーの平均音量パワーを算出し、第１の録画コンテンツのサンプリング動画における音量パワーの平均音量パワーを第２の録画コンテンツのサンプリング動画における音量パワーの平均音量パワーに合わせるように音量パワーの補正量を計算する。なお、ここでは、第１の録画コンテンツの平均音量パワーを第２の録画コンテンツの平均音量パワーに合わせるように音量パワーの補正量を計算しているが、これに限られるものではない。例えば、逆に第２の録画コンテンツの平均音量パワーを第１の録画コンテンツの平均音量パワーに合わせるように音量パワーの補正量を計算してもよいし、また第１の録画コンテンツの平均音量パワーと第２の録画コンテンツの平均音量パワーとの中間の音量パワーに合わせるように音量パワーの補正量を計算しても構わない。
【０１５９】
録画番組結合部５１６は、音量パワー補正量計算部５１５で計算された音量パワーの補正量に従って、第１の録画コンテンツに対して音量パワーの補正を行い、第１の録画コンテンツと第２の録画コンテンツとを結合する。
【０１６０】
次に、上記のように構成された第２の録画装置５１０で第１の録画コンテンツと第２の録画コンテンツとを結合する場合の動作について説明する。図３６はこの第２の録画装置５１０で第１の録画コンテンツと第２の録画コンテンツとを結合する場合の動作の流れを示すフローチャートである。
【０１６１】
サンプリング動画抽出部５１３は、録画番組取得部５１１により取得された第１の録画コンテンツと、録画番組蓄積部５１２に蓄積されている第２の録画コンテンツからサンプリング動画をそれぞれ抽出する（ステップＳ９０１）。次に、音量パワー計測部５１４は、サンプリング動画抽出部５１３で抽出されたサンプリング動画の音量パワーをそれぞれ計測する（ステップＳ９０２）。次に、音量パワー補正量計算部５１５は、第１の録画コンテンツのサンプリング動画における音量パワーの平均音量パワーを第２の録画コンテンツのサンプリング動画における音量パワーの平均音量パワーに合わせるように音量パワーの補正量を計算する（ステップＳ９０３）。次に、録画番組結合部５１６は、音量パワーの補正量に従って、第１の録画コンテンツに対して音量パワーの補正を行い、第１の録画コンテンツと第２の録画コンテンツとを結合する（ステップＳ９０４）。
【０１６２】
以上のように、同時刻に放映されている録画部分を利用して、各録画コンテンツの音量パワーを補正して結合しているので、再生するときに音量等を再調整する必要がない。
【０１６３】
（実施の形態１０）
例えば、上記実施の形態７のような番組録画システムにおいて、第１の録画装置で録画した番組と、第２の録画装置で録画した番組を単純に結合すると、その切り替わりの部分において画像のひずみ等が生じる可能性が高い。そこで、本実施の形態では、番組の切れ目を利用して録画コンテンツの結合を行う場合について説明する。
【０１６４】
図３７は、本発明の実施の形態１０に係る番組録画システムにおける第２の録画装置の構成を示すブロック図である。なお、実施の形態９と同様の部分については同じ符号を付し、詳細な説明を省略する。
【０１６５】
第２の録画装置５２０は、例えば家庭内に設けられる録画装置であり、図３７に示すように録画番組取得部５１１、録画番組蓄積部５１２、番組内容タグ抽出部５２１、番組シーン切替部分検出部５２２、および録画番組結合部５２３を備えている。
【０１６６】
番組内容タグ抽出部５２１は、録画番組蓄積部５１２に蓄積されている第２の録画コンテンツから番組内容を示すタグ情報を抽出する。図３８は、タグ情報の一例を示す図である。タグ情報には、図３８に示すようにその番組の番組タイトルや、ある時間における番組内容等が記載されている。番組シーン切替部分検出部５２２は、番組内容タグ抽出部５２１により抽出されたタグ情報から、シーンの切り替わり部分を検出する。図３９は、番組のシーンの構成の一例を示す図である。
【０１６７】
録画番組結合部５２３は、録画番組取得部５１１により取得された第１の録画コンテンツと、録画番組蓄積部５１２に蓄積されている第２の録画コンテンツとにおいて共通する時間部分のうちで、番組シーン切替部分検出部５２２により検出された図３８に示すようなシーンの切り替わり部分８１０で、第１の録画コンテンツと第２の録画コンテンツとを結合する。
【０１６８】
以上のように、番組の切れ目を録画された番組のタグ情報により検出し、番組の切れ目を利用して、録画コンテンツの結合を行っているので、録画番組の見栄えのよい結合が可能になる。
【０１６９】
（実施の形態１１）
デジタル放送等の録画コンテンツにおいては、著作権保護の観点から録画コンテンツを他のメディアへコピーすることが制限されることが多い。そのため、例えば、上記実施の形態７のような番組録画システムにおいて、携帯電話で録画したコンテンツと、録画装置が設置されている自宅等で録画したコンテンツを結合することができない場合がある。そこで、本実施の形態では、他のメディアへコピーすることが制限されている場合であっても、コンテンツを結合することができる番組録画システムについて説明する。
【０１７０】
図４０は、本発明の実施の形態１１に係る番組録画システムにおける第２の録画装置の構成を示すブロック図である。なお、実施の形態９と同様の部分については同じ符号を付し、詳細な説明を省略する。
【０１７１】
第２の録画装置５３０は、例えば家庭内に設けられる録画装置であり、図４０に示すように録画番組取得部５１１、録画番組蓄積部５１２、番組結合キー判定部５３１、録画番組結合部５３２、および録画番組消去部５３３を備えている。
【０１７２】
番組結合キー判定部５３１は、録画番組取得部５１１により取得された第１の録画コンテンツから結合キーを抽出し、抽出した結合キーが録画番組蓄積部５１２に蓄積されている第２の録画コンテンツにあるか否かを判定する。録画番組結合部５３２は、第１の録画コンテンツから抽出された結合キーが第２の録画コンテンツにある場合にのみ、第１の録画コンテンツと第２の録画コンテンツとを結合する。
【０１７３】
録画番組消去部５３３は、録画番組結合部５３２により第１の録画コンテンツと第２の録画コンテンツとが結合された場合に、録画番組取得部５１１により第１の録画コンテンツが取得された例えば第１の録画装置４００で番組が録画された半導体メモリより、第１の録画コンテンツを消去する。
【０１７４】
次に、上記のように構成された第２の録画装置５３０で第１の録画コンテンツと第２の録画コンテンツとを結合する場合の動作について説明する。図４１はこの第２の録画装置５３０で第１の録画コンテンツと第２の録画コンテンツとを結合する場合の動作の流れを示すフローチャートである。
【０１７５】
番組結合キー判定部５３１は、録画番組取得部５１１により取得された第１の録画コンテンツから結合キーを抽出する（ステップＳ１００１）。次に、番組結合キー判定部５３１は、抽出した結合キーが録画番組蓄積部５１２に蓄積されている第２の録画コンテンツにあるか否かを判定する（ステップＳ１００２）。この結果、抽出した結合キーが第２の録画コンテンツにある場合（ステップＳ１００２でＹＥＳ）には、録画番組結合部５３２は、第１の録画コンテンツと第２の録画コンテンツとを結合する（ステップＳ１００３）。そして、録画番組消去部５３３は、録画番組取得部５１１により第１の録画コンテンツが取得された例えば第１の録画装置４００で番組が録画された半導体メモリより、第１の録画コンテンツを消去する（ステップＳ１００４）。
【０１７６】
一方、抽出した結合キーが第２の録画コンテンツにない場合（ステップＳ１００２でＮＯ）には、第１の録画コンテンツと第２の録画コンテンツとを結合できないことをユーザに通知する（ステップＳ１００５）。
【０１７７】
以上のように、第１の録画装置４００で録画したコンテンツは、その結合キーをもつ録画コンテンツへのコピーを許諾することにより、本実施の形態で取得した録画番組の場合に限り番組の結合が可能になる。また、結合キーをもたないメディアへのコピーを禁止することで、録画コンテンツの不正コピーを防止することも可能になる。
【０１７８】
（実施の形態１２）
実施の形態７では、家庭内録画装置が携帯電話から録画要求がでたときには、録画できる状態である場合を説明した。しかしながら、一般に、家庭内録画装置は、家庭で利用するユーザが操作するため、携帯電話から録画要求を送信したとき、常に利用できる状態にあるとは限らない。そこで、本実施の形態では、携帯電話から録画要求が出された場合に、家庭内録画装置で録画できない状態にあるときには、携帯電話に対してそのことを知らせ、携帯電話で録画するようにする。さらに、家庭内録画装置で録画できる状態になった場合には、携帯電話で指定された番組を家庭内録画装置で録画し、携帯電話で録画することを中止する場合について説明する。
【０１７９】
図４２は、本発明の実施の形態１２に係る番組録画システムの構成を示すブロック図である。なお、実施の形態７と同様の部分については同じ符号を付し、詳細な説明を省略する。また、本実施の形態の番組録画システムが用いられるハードウエア構成は、図２６に示す実施の形態７と同様であるため説明を省略する。
【０１８０】
第２の録画装置７００は、実施の形態７の構成に加えて録画可否判定部７０１を備えている。また、第１の録画装置６００の録画情報受信部６０１および第１の番組録画部６０２と、第２の録画装置７００の録画情報送信部７０２との動作が実施の形態７とは相違する。録画可否判定部７０１は、第１の録画装置６００から録画指示された番組を第２の番組録画部５０２で録画できるか否かを判定する。
【０１８１】
次に、上記のように構成された番組録画システムの第１の録画装置６００である携帯電話２７０４で視聴している番組を録画する際の動作について説明する。図４３は番組録画システムで番組を録画する際の動作の流れを示すフローチャートである。なお、実施の形態７と同様の動作については同じ符号を付し、詳細な説明を省略する。
【０１８２】
まず、ユーザによって視聴されている番組の録画要求（ステップＳ４０１）から第２の録画装置７００の録画指示受信部５０３による録画指示の受信（ステップＳ４０４）までは、実施の形態７と同様である。
【０１８３】
次に、録画可否判定部７０１は、第１の録画装置６００から録画指示された番組が、現在、第２の番組録画部５０２で録画されているか否かを判定する（ステップＳ５０１）。ここで、すでに録画されている場合（ステップＳ５０１でＹＥＳ）には、録画情報送信部７０２は、録画指示された番組がすでに録画されている旨を第１の録画装置６００へ通知する（ステップＳ５０２）。第１の録画装置６００の録画情報受信部６０１は、録画指示された番組がすでに録画されている旨の通知を受信し、第１の番組録画部６０２へ通知する（ステップＳ５０３）。第１の番組録画部６０２は、録画指示された番組がすでに録画されている旨の通知が通知されると例えば図４５に示すようなメッセージを表示し、録画中の番組の録画を終了する（ステップＳ５０４）。なお、第２の録画装置７００ですでに録画されているために、これまでに第１の録画装置６００で録画した番組を消去してもよい。
【０１８４】
一方、第１の録画装置６００から録画指示された番組が録画されていない場合（ステップＳ５０１でＮＯ）には、録画可否判定部７０１は、録画指示された番組の終了時刻を番組表を用いて確認し、その終了時刻まで録画可能であるか否かを判定する（ステップＳ５０５）。ここで、録画可能でない場合（ステップＳ５０５でＮＯ）には、録画情報送信部７０２は、録画できない旨を第１の録画装置６００へ通知する（ステップＳ５０６）。また、録画可否判定部７０１は、録画指示された番組の終了時刻前に録画可能となる場合には判定処理を繰り返すことになる。
【０１８５】
録画できない旨の通知を受信した第１の録画装置６００の録画情報受信部６０１は、第１の番組録画部６０２へ通知する（ステップＳ５０７）。第１の番組録画部６０２は、録画できない旨の通知が通知されると例えば図４４に示すようなメッセージを表示し、録画中の番組の録画を継続する（ステップＳ５０８）。
【０１８６】
例えば、第１の録画装置６００から録画指示された番組の開始時刻が１４時で終了時刻が１６時であり、現在時刻が１４時１５分であったとする。この番組を終了時刻まで第２の録画装置７００の第２の番組録画部５０２で録画するためには、１６時まで他の番組を録画できないことになる。ここで、以前に１５時から１５時３０分まで他の番組を録画するように、予約設定されていた場合には、先に録画予約されている番組を録画するために、１５時３０分までは第１の録画装置６００で番組を蓄積し、１５時３０分から１６時までは第２の録画装置７００で録画するようにする。
【０１８７】
一方、録画可能である場合（ステップＳ５０５でＹＥＳ）には、実施の形態７と同様に第２の番組録画部５０２での録画ＩＤの生成処理（ステップＳ４０５）から第１の番組録画部４０２による録画中の番組の録画終了処理（ステップＳ４０９）を行う。また、最終的に第２の番組録画部５０２で録画できる状態になった場合も同様である。前述の例では１５時３０分になった時点で、録画可能であると判定されることになる。それまでは、第１の録画装置６００で録画が継続されていることになる。
【０１８８】
以上のように、第１の録画装置から第２の録画装置へ録画指示を行った際に、第２の録画装置が使用されている等の状況に応じて、第１の録画装置での録画の継続等を行っているので、状況に応じた録画を簡単に行うことが可能になる。
【産業上の利用可能性】
【０１８９】
以上のように本発明に係る視聴支援装置は、ユーザの居住地域や現在位置等に応じて番組の視聴や録画の支援を行うことができ、例えばテレビ、ハードディスクレコーダ、ＤＶＤレコーダ、携帯電話、車載ディスプレイ等の装置で番組を視聴や録画するのに有用である。
【図面の簡単な説明】
【０１９０】
【図１】図１は、本発明の実施の形態１に係る視聴支援装置の構成を示すブロック図である。
【図２】図２は、本発明の実施の形態１に係る視聴支援装置が用いられるハードウエア構成の一例を示す構成図である。
【図３】図３は、携帯電話でユーザが番組を視聴する際の動作の流れを示すフローチャートである。
【図４】図４は、番組が視聴されている画面の表示例を示す図である。
【図５】図５は、本発明の実施の形態２に係る視聴支援装置の構成を示すブロック図である。
【図６】図６は、本発明の実施の形態２に係る視聴支援装置が用いられるハードウエア構成の一例を示す構成図である。
【図７】図７は、デジタルテレビでユーザが番組を視聴する際の動作の流れを示すフローチャートである。
【図８】図８は、録画装置設置場所を入力する画面の表示例を示す図である。
【図９】図９は、閲覧可能番組表の一例を示す図である。
【図１０】図１０は、録画可能番組表の一例を示す図である。
【図１１】図１１は、録画可能であることを示すマークを付加した番組表の一例を示す図である。
【図１２】図１２は、同一番組判定部の詳細な構成を示すブロック図である。
【図１３】図１３は、番組のテキスト情報の一例を示す図である。
【図１４】図１４は、同一番組判定部の動作の流れを示すフローチャートである。
【図１５】図１５は、本発明の実施の形態４に係る視聴支援装置の構成を示すブロック図である。
【図１６】図１６は、視聴支援装置における同一番組判定の動作の流れを示すフローチャートである。
【図１７】図１７は、本発明の実施の形態５に係る視聴支援装置の構成を示すブロック図である。
【図１８】図１８は、視聴支援装置における同一番組判定の動作の流れを示すフローチャートである。
【図１９】図１９は、（ａ）録画装置設置場所と現在位置とにおいて配信されている言語の一例を示す図であり、（ｂ）番組が視聴されている画面の表示例を示す図である。
【図２０】図２０は、本発明の実施の形態６に係る視聴支援装置の構成を示すブロック図である。
【図２１】図２１は、本発明の実施の形態６に係る視聴支援装置が用いられるハードウエア構成の一例を示す構成図である。
【図２２】図２２は、携帯電話でユーザが番組を視聴する際の動作の流れを示すフローチャートである。
【図２３】図２３は、テーマごとの算出された視聴時間の一例を示す図である。
【図２４】図２４は、居住地域で放送されていない番組を優先して推薦する画面の表示例を示す図である。
【図２５】図２５は、本発明の実施の形態７に係る番組録画システムの構成を示すブロック図である。
【図２６】図２６は、本発明の実施の形態７に係る番組録画システムが用いられるハードウエア構成の一例を示す構成図である。
【図２７】図２７は、番組録画システムで番組を録画する際の動作の流れを示すフローチャートである。
【図２８】図２８は、携帯電話での番組の視聴画面の表示例を示す図である。
【図２９】図２９は、半導体メディアに記憶される情報の一例を示す図である。
【図３０】図３０は、第２の録画装置に録画された番組の録画情報の一例を示す図である。
【図３１】図３１は、第２の録画装置での番組のリストの一例を示す図である。
【図３２】図３２は、第１の録画装置で録画中番組の録画の終了を知らせる表示例を示す図である。
【図３３】図３３は、本発明の実施の形態８に係る番組録画システムの構成を示すブロック図である。
【図３４】図３４は、本発明の実施の形態９に係る番組録画システムにおける第２の録画装置の構成を示すブロック図である。
【図３５】図３５は、音量パワー計測部で計測されたサンプリング動画の音量パワーの一例を示す図であり、（ａ）第１の録画コンテンツ、（ｂ）第２の録画コンテンツ、の例を示す図である。
【図３６】図３６は、第２の録画装置で第１の録画コンテンツと第２の録画コンテンツとを結合する場合の動作の流れを示すフローチャートである。
【図３７】図３７は、本発明の実施の形態１０に係る番組録画システムにおける第２の録画装置の構成を示すブロック図である。
【図３８】図３８は、タグ情報の一例を示す図である。
【図３９】図３９は、番組のシーンの構成の一例を示す図である。
【図４０】図４０は、本発明の実施の形態１１に係る番組録画システムにおける第２の録画装置の構成を示すブロック図である。
【図４１】図４１は、第２の録画装置で第１の録画コンテンツと第２の録画コンテンツとを結合する場合の動作の流れを示すフローチャートである。
【図４２】図４２は、本発明の実施の形態５に係る番組録画システムの構成を示すブロック図である。
【図４３】図４３は、番組録画システムで番組を録画する際の動作の流れを示すフローチャートである。
【図４４】図４４は、録画できない旨を通知する表示例を示す図である。
【図４５】図４５は、録画指示された番組がすでに録画されている旨を通知する表示例を示す図である。
【符号の説明】
【０１９１】
１００、１１０、１２０、２００、３００  視聴支援装置
１０１、２０１  録画装置位置取得部
１０２  録画可能番組表取得部
１０３  閲覧可能番組表取得部
１０４、２０２、４１１  同一番組判定部
１０５  表示部
１０４１  放映時間抽出部
１０４２  検索部
１０４３  テキスト情報抽出部
１０４４  番組情報記憶部
１０４５  一致度計算部
１０４６  判定部
１１１  録画可能番組表記憶部
１１２  閲覧可能番組表記憶部
１１３  録画可能番組表更新部
１１４  対応番組表判定部
１１５  対応番組表取得部
１２１  提供元検出部
１２２  番組表取得部
２０３  番組表表示部
３０１  視聴履歴蓄積部
３０２  番組表取得部
３０３  嗜好情報抽出部
３０４  居住地域番組表蓄積部
３０５  閲覧可能番組表蓄積部
３０６  番組推薦部
４００、４１０、６００  第１の録画装置
４０１  第１の番組受信部
４０２、６０２  第１の番組録画部
４０３  録画指示送信部
４０４、６０１  録画情報受信部
５００、５１０、５２０、５３０、７００  第２の録画装置
５０１  第２の番組受信部
５０２  第２の番組録画部
５０３  録画指示受信部
５０４、７０２  録画情報送信部
５１１  録画番組取得部
５１２  録画番組蓄積部
５１３  サンプリング動画抽出部
５１４  音量パワー計測部
５１５  音量パワー補正量計算部
５１６  録画番組結合部
５２１  番組内容タグ抽出部
５２２  番組シーン切替部分検出部
５２３  録画番組結合部
５３１  番組結合キー判定部
５３２  録画番組結合部
５３３  録画番組消去部
７０１  録画可否判定部
【図１】
0003962762.tif 000002
【図２】
0003962762.tif 000003
【図３】
0003962762.tif 000004
【図４】
0003962762.tif 000005
【図５】
0003962762.tif 000006
【図６】
0003962762.tif 000007
【図７】
0003962762.tif 000008
【図８】
0003962762.tif 000009
【図９】
0003962762.tif 000010
【図１０】
0003962762.tif 000011
【図１１】
0003962762.tif 000012
【図１２】
0003962762.tif 000013
【図１３】
0003962762.tif 000014
【図１４】
0003962762.tif 000015
【図１５】
0003962762.tif 000016
【図１６】
0003962762.tif 000017
【図１７】
0003962762.tif 000018
【図１８】
0003962762.tif 000019
【図１９】
0003962762.tif 000020
【図２０】
0003962762.tif 000021
【図２１】
0003962762.tif 000022
【図２２】
0003962762.tif 000023
【図２３】
0003962762.tif 000024
【図２４】
0003962762.tif 000025
【図２５】
0003962762.tif 000026
【図２６】
0003962762.tif 000027
【図２７】
0003962762.tif 000028
【図２８】
0003962762.tif 000029
【図２９】
0003962762.tif 000030
【図３０】
0003962762.tif 000031
【図３１】
0003962762.tif 000032
【図３２】
0003962762.tif 000033
【図３３】
0003962762.tif 000034
【図３４】
0003962762.tif 000035
【図３５】
0003962762.tif 000036
【図３６】
0003962762.tif 000037
【図３７】
0003962762.tif 000038
【図３８】
0003962762.tif 000039
【図３９】
0003962762.tif 000040
【図４０】
0003962762.tif 000041
【図４１】
0003962762.tif 000042
【図４２】
0003962762.tif 000043
【図４３】
0003962762.tif 000044
【図４４】
0003962762.tif 000045
【図４５】
0003962762.tif 000046